(57)【要約】  入金紙幣枚数を取引単位で確定する紙幣入金処理装置（１）であって、搬送した紙幣の内、結束対象の特定金種の紙幣を順次分類集積する結束対象紙幣集積部（２１）と、結束対象紙幣集積部（２１）に分類集積した紙幣枚数を未確定の紙幣入金枚数として集計する結束側紙幣集計部（４１Ａ）と、分類集積した紙幣枚数が所定枚数に到達した場合、所定枚数分の紙幣を結束する紙幣結束部（２２）と、紙幣結束タイミングに応じて、結束紙幣の内、現在取引内の未確定の紙幣入金枚数を仮確定する仮確定部（１０１）と、取引完了操作を検出すると、現在取引内の仮確定及び未確定の紙幣入金枚数を現在取引の全紙幣入金枚数として確定すると共に、結束対象紙幣集積部（２１）に集積中の紙幣集積枚数を前回端数として登録管理する確定部とを有し、障害復旧に際しての結束済み紙幣の解体機会を少なくし、そのオペレータ側作業負担の大幅改善を図る。
2010067421.tif 000002
【特許請求の範囲】
【請求項１】
連続した入金取引の入金紙幣枚数を取引単位で確定する紙幣入金処理装置であって、
紙幣を投入する投入部と、
この投入部にて投入した紙幣を一枚単位で繰出搬送する搬送部と、
この搬送部で順次搬送した紙幣の内、結束対象の特定金種の紙幣を順次分類集積する結束対象紙幣集積部と、
この結束対象紙幣集積部に分類集積した前記結束対象の紙幣枚数を未確定の紙幣入金枚数として集計する結束対象紙幣集計部と、
前記結束対象紙幣集積部に分類集積した前記結束対象の紙幣枚数が所定枚数に到達した場合、前記所定枚数分の結束対象の紙幣を結束する紙幣結束部と、
前記所定枚数分の紙幣の結束タイミングに応じて、結束する紙幣の内、現在取引内の前記未確定の紙幣入金枚数を仮確定する仮確定部と、
取引完了操作を検出すると、現在取引内の前記仮確定の紙幣入金枚数及び前記未確定の紙幣入金枚数を現在取引の全紙幣入金枚数として確定すると共に、前記結束対象紙幣集積部に集積中の紙幣集積枚数を前回端数として登録管理する確定部と
を有することを特徴とする紙幣入金処理装置。
【請求項２】
前記現在取引内で障害復旧操作を検出した場合、前記現在取引内に前記仮確定が存在するか否かを判定する仮確定判定部と、
前記現在取引内に前記仮確定が存在する場合、前記現在取引内の前記未確定の紙幣入金枚数をクリアすると共に、前記結束済み紙幣を除く、本装置内の全紙幣を前記投入部に再投入した後、この投入部に再投入した紙幣を再搬送する前記搬送部を駆動制御する制御部と
を有することを特徴とする請求項１記載の紙幣入金処理装置。
【請求項３】
前記制御部は、
前記仮確定判定部にて前記現在取引内に前記仮確定が存在しない場合、前記現在取引内の前記未確定の紙幣入金枚数をクリアすると共に、本装置内の全紙幣を前記投入部に再投入した後、前記確定部にて登録管理中の前記現在取引直前の前回端数分の紙幣を前記結束対象紙幣集積部に残すべく、この投入部に再投入した紙幣を再搬送する前記搬送部を駆動制御することを特徴とする請求項２記載の紙幣入金処理装置。
【請求項４】
前記現在取引のキャンセル操作を検出した場合、前記現在取引内の前記仮確定の紙幣入金枚数及び前記未確定の紙幣入金枚数をクリアすると共に、前記現在取引内の紙幣を含む結束済み紙幣及び／又は未確定の紙幣入金枚数分の紙幣を前記投入部に再投入した後、前記現在取引内の前記仮確定及び前記未確定の紙幣を本装置からリジェクトしながら、前記確定部にて登録管理中の前記現在取引直前の前回端数分の紙幣を前記結束対象紙幣集積部に残すべく、この投入部に再投入した紙幣を再搬送する前記搬送部を駆動制御する制御部を有することを特徴とする請求項１記載の紙幣入金処理装置。
【請求項５】
前記現在取引のキャンセル操作を検出した場合、前記現在取引内の全ての結束済み紙幣の束数をガイダンス表示する表示部を有することを特徴とする請求項４記載の紙幣入金処理装置。
【請求項６】
前記結束タイミングは、
前記紙幣結束部にて前記所定枚数分の紙幣を結束したタイミングに相当することを特徴とする請求項１記載の紙幣入金処理装置。
【請求項７】
前記結束タイミングは、
前記結束対象紙幣集積部に分類集積した前記結束対象の紙幣枚数が所定枚数に到達したタイミングに相当することを特徴とする請求項１記載の紙幣入金処理装置。
【請求項８】
前記確定部は、
取引完了操作を検出すると、所定の設定により、前記結束対象紙幣集積部に集積した紙幣の抜取りを促し、前記前回端数をゼロとして登録管理することを特徴とする請求項１記載の紙幣入金処理装置。
【請求項９】
前記搬送部にて搬送した紙幣を前記特定金種以外の金種に応じて分類集積する分類紙幣集積部と、
この分類紙幣集積部に分類集積した前記金種毎の未確定の紙幣枚数として集計する分類紙幣集計部とを有し、
前記仮確定部は、
前記分類紙幣集積部に分類集積した所定枚数の紙幣の抜取を検出した場合、紙幣抜取タイミングで現在取引内の前記分類紙幣集積部の前記未確定の紙幣入金枚数を仮確定すると共に、
前記確定部は、
前記取引完了操作を検出すると、前記現在取引内の前記結束対象紙幣集積部の前記仮確定の紙幣入金枚数及び前記未確定の紙幣入金枚数を現在取引内の前記結束対象紙幣集積部の全紙幣入金枚数として確定すると共に、前記現在取引内の前記分類紙幣集積部の前記仮確定の紙幣入金枚数及び前記未確定の紙幣入金枚数を現在取引内の前記分類紙幣集積部の全紙幣入金枚数として確定すると共に、前記結束対象紙幣集積部に集積中の紙幣集積枚数を前記結束対象紙幣集積部の前回端数として登録管理すると共に、前記分類紙幣集積部に集積中の紙幣集積枚数を前記分類紙幣集積部の前回端数として登録管理することを特徴とする請求項１記載の紙幣入金処理装置。
【請求項１０】
前記現在取引内で障害復旧操作を検出した場合、前記現在取引内に前記仮確定が存在するか否かを判定する仮確定判定部と、
前記現在取引内に前記仮確定が存在する場合、前記現在取引内の前記結束対象紙幣集積部及び前記分類紙幣集積部の前記未確定の紙幣入金枚数をクリアすると共に、前記結束済み紙幣及び前記分類紙幣集積部からの前記抜取済み紙幣を除く、本装置内の全紙幣を前記投入部に再投入した後、この投入部に再投入した紙幣を再搬送する前記搬送部を駆動制御する制御部と
を有することを特徴とする請求項９記載の紙幣入金処理装置。
【請求項１１】
前記制御部は、
前記仮確定判定部にて前記現在取引内に前記仮確定が存在しない場合、前記現在取引内の前記結束対象紙幣集積部及び前記分類紙幣集積部の前記未確定の紙幣入金枚数をクリアすると共に、本装置内の全紙幣を前記投入部に再投入した後、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御することを特徴とする請求項１０記載の紙幣入金処理装置。
【請求項１２】
前記現在取引のキャンセル操作を検出した場合、前記現在取引内の前記結束対象紙幣集積部及び前記分類紙幣集積部の前記仮確定の紙幣入金枚数及び前記未確定の紙幣入金枚数をクリアすると共に、前記分類紙幣集積部に集積中の全紙幣の他に、本装置内の前記現在取引内の紙幣を含む全ての結束済み紙幣、前記分類紙幣集積部からの抜取済み紙幣、及び／又は、未確定の紙幣入金枚数分の紙幣を前記投入部に再投入した後、前記現在取引内の前記結束対象紙幣集積部及び前記分類紙幣集積部の前記仮確定及び前記未確定の紙幣を本装置からリジェクトしながら、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御する制御部を有することを特徴とする請求項９記載の紙幣入金処理装置。
【請求項１３】
前記現在取引のキャンセル操作を検出した場合、前記現在取引内の紙幣を含む全ての結束済み紙幣の束数をガイダンス表示する表示部を有することを特徴とする請求項１２記載の紙幣入金処理装置。
【請求項１４】
連続した入金取引の入金紙幣枚数を取引単位で確定する紙幣入金処理方法であって、
紙幣を投入する投入ステップと、
この投入ステップにて投入した紙幣を一枚単位で繰出搬送する搬送ステップと、
この搬送ステップで順次搬送した紙幣の内、結束対象の特定金種の紙幣を順次分類集積する結束対象紙幣集積ステップと、
この結束対象紙幣集積ステップに分類集積した前記結束対象の紙幣枚数を未確定の紙幣入金枚数として集計する結束対象紙幣集計ステップと、
前記結束対象紙幣集積ステップに分類集積した前記結束対象の紙幣枚数が所定枚数に到達した場合、前記所定枚数分の結束対象の紙幣を結束する紙幣結束ステップと、
前記所定枚数分の紙幣の結束タイミングに応じて、結束する紙幣の内、現在取引内の前記未確定の紙幣入金枚数を仮確定する仮確定ステップと、
取引完了操作を検出すると、現在取引内の前記仮確定の紙幣入金枚数及び前記未確定の紙幣入金枚数を現在取引の全紙幣入金枚数として確定すると共に、前記結束対象紙幣集積部に集積中の紙幣集積枚数を前回端数として登録管理する確定ステップと
を含むことを特徴とする紙幣入金処理方法。
【請求項１５】
前記搬送ステップにて搬送した紙幣を前記特定金種以外の金種に応じて分類集積する分類紙幣集積ステップと、
この分類紙幣集積ステップに分類集積した前記金種毎の未確定の紙幣枚数として集計する分類紙幣集計ステップとを含み、
前記仮確定ステップは、
前記分類紙幣集積ステップに分類集積した所定枚数の紙幣の抜取を検出した場合、紙幣抜取タイミングで現在取引内の前記分類紙幣集積ステップの前記未確定の紙幣入金枚数を仮確定すると共に、
前記確定ステップは、
前記取引完了操作を検出すると、前記現在取引内の前記結束対象紙幣集積ステップの前記仮確定の紙幣入金枚数及び前記未確定の紙幣入金枚数を現在取引内の前記結束対象紙幣集積ステップの全紙幣入金枚数として確定すると共に、前記現在取引内の前記分類紙幣集積ステップの前記仮確定の紙幣入金枚数及び前記未確定の紙幣入金枚数を現在取引内の前記分類紙幣集積ステップの全紙幣入金枚数として確定すると共に、前記結束対象紙幣集積ステップの紙幣集積枚数を前記結束対象紙幣集積ステップの前回端数として登録管理すると共に、前記分類紙幣集積ステップの紙幣集積枚数を前記分類紙幣集積ステップの前回端数として登録管理することを特徴とする請求項１４記載の紙幣入金処理方法。
【発明の詳細な説明】
【技術分野】
【０００１】
本発明は、連続した入金取引の入金紙幣を金種毎に分類集積し、これら分類集積した紙幣の入金枚数を金種毎に取引単位で集計する紙幣入金処理装置及び紙幣入金処理方法に関する。
【背景技術】
【０００２】
従来、連続した入金取引の入金紙幣を金種毎に分類集積し、これら分類集積した紙幣の入金枚数を金種毎に取引単位で集計する紙幣集積分類機能及び紙幣集計機能を備えた紙幣入金処理装置が広く知られている。【０００３】
このような従来の紙幣入金処理装置では、紙幣の金種を識別する金種識別部と、紙幣金種毎に紙幣を分類集積するスタッカと、紙幣金種毎に紙幣の枚数を集計する集計部と、現在取引分である未確定分の紙幣枚数及び、スタッカに集積済み、すなわち現在取引以前の前回取引分である確定分の紙幣枚数を区分管理する障害復旧処理部とを有する技術が知られている（例えば、特許文献１参照）。【０００４】
特許文献１では、紙幣詰まり（ジャム）等の障害が発生したとしても、その障害解消後、本装置内の現在取引分である未確定分の紙幣と、前回取引分である確定分の紙幣とを回収し、これら回収紙幣をホッパ部に再投入し、これら現在取引分及び前回取引分の紙幣の総計に基づき、回収紙幣の分類集積動作を再度実行し、これら回収紙幣を金種に応じたスタッカに順次分類集積するようにしたので、障害が発生したとしても、障害復旧前の紙幣集積状態に戻すことができる。【０００５】
また、従来の紙幣入金処理装置では、投入される紙幣を計数する計数手段と、計数手段にて計数した紙幣を所定枚数毎に小束に施封する施封手段と、施封されない端数紙幣を集積する集積手段と、端数紙幣の枚数を記憶する記憶手段と、集積手段に集積中の端数紙幣の抜取を検知すると、この端数紙幣と今回分の紙幣とを回収して、これら回収紙幣を集計手段に投入した場合、この回収紙幣の合計枚数から記憶手段に記憶中の端数紙幣の枚数を減算する減算手段とを有し、端数紙幣の抜取が発生したとしても、端数紙幣と今回分の紙幣との合計枚数から前回端数分を自動減算することで、前回分の端数紙幣と今回分の紙幣枚数とに振り分ける必要はなく、オペレータの負担を軽減できる（例えば、特許文献２参照）。【０００６】
【特許文献１】特許第３９２２４２５号公報
【特許文献２】特開平９−１５３１６８号公報
【発明の開示】
【発明が解決しようとする課題】
【０００７】
上記従来の紙幣入金処理装置では、特定金種の紙幣を所定枚数毎に結束（帯封）する紙幣結束機能を備えたことを想定すると、現在取引中に障害が発生した場合、その障害解消後、本装置内の前回取引分及び現在取引分の紙幣を回収し、これら回収紙幣をホッパ部に再投入した後、これら回収紙幣の分類集積動作を再度実行することになるが、現在取引中に複数束の結束済み紙幣が作成された場合、現在取引分の紙幣を回収する際、その取引分の紙幣を含む全ての結束済み紙幣を解体する必要があるため、障害復旧に際し、回収紙幣をホッパ部に再投入するオペレータの作業負担が大きい。【０００８】
また、上記従来の紙幣入金処理装置では、現在取引のみで入金した紙幣だけでなく、複数取引に跨って入金した紙幣で結束済み紙幣が作成されるような場合もある。【０００９】
そこで、上記従来の紙幣入金処理装置では、現在取引中に障害が発生した場合、その障害解消後、本装置内の前回取引分及び現在取引分の紙幣を回収し、これら回収紙幣をホッパ部に再投入した後、これら回収紙幣の分類集積動作を再度実行することになるが、複数取引に跨って入金した紙幣で結束済み紙幣が作成された場合、結束済み紙幣内に複数取引分の紙幣が混在することになるため、結束済み紙幣における取引の区分けが煩雑化する。【００１０】
本発明は上記点に鑑みて成されたものであり、その目的とするところは、紙幣結束機能を追加したとしても、障害復旧に際しての結束済み紙幣の解体機会を少なくし、そのオペレータ側作業負担の大幅改善を図りながら、結束済み紙幣における取引区分の取扱性を良好にした紙幣入金処理装置及び紙幣入金処理方法を提供することにある。
【課題を解決するための手段】
【００１１】
上記目的を達成するために本願請求項１記載の紙幣入金処理装置は、連続した入金取引の入金紙幣枚数を取引単位で確定する紙幣入金処理装置であって、紙幣を投入する投入部と、この投入部にて投入した紙幣を一枚単位で繰出搬送する搬送部と、この搬送部で順次搬送した紙幣の内、結束対象の特定金種の紙幣を順次分類集積する結束対象紙幣集積部と、この結束対象紙幣集積部に分類集積した前記結束対象の紙幣枚数を未確定の紙幣入金枚数として集計する結束対象紙幣集計部と、前記結束対象紙幣集積部に分類集積した前記結束対象の紙幣枚数が所定枚数に到達した場合、前記所定枚数分の結束対象の紙幣を結束する紙幣結束部と、前記所定枚数分の紙幣の結束タイミングに応じて、結束する紙幣の内、現在取引内の前記未確定の紙幣入金枚数を仮確定する仮確定部と、取引完了操作を検出すると、現在取引内の前記仮確定の紙幣入金枚数及び前記未確定の紙幣入金枚数を現在取引の全紙幣入金枚数として確定すると共に、前記結束対象紙幣集積部に集積中の紙幣集積枚数を前回端数として登録管理する確定部とを有するようにした。【００１２】
また、本願請求項２記載の紙幣入金処理装置は、本願請求項１記載の構成において、前記現在取引内で障害復旧操作を検出した場合、前記現在取引内に前記仮確定が存在するか否かを判定する仮確定判定部と、前記現在取引内に前記仮確定が存在する場合、前記現在取引内の前記未確定の紙幣入金枚数をクリアすると共に、前記結束済み紙幣を除く、本装置内の全紙幣を前記投入部に再投入した後、この投入部に再投入した紙幣を再搬送する前記搬送部を駆動制御する制御部とを有するようにした。【００１３】
また、本願請求項３記載の紙幣入金処理装置は、本願請求項２記載の構成において、前記制御部は、前記仮確定判定部にて前記現在取引内に前記仮確定が存在しない場合、前記現在取引内の前記未確定の紙幣入金枚数をクリアすると共に、本装置内の全紙幣を前記投入部に再投入した後、前記確定部にて登録管理中の前記現在取引直前の前回端数分の紙幣を前記結束対象紙幣集積部に残すべく、この投入部に再投入した紙幣を再搬送する前記搬送部を駆動制御するようにした。【００１４】
また、本願請求項４記載の紙幣入金処理装置は、本願請求項１記載の構成において、前記現在取引のキャンセル操作を検出した場合、前記現在取引内の前記仮確定の紙幣入金枚数及び前記未確定の紙幣入金枚数をクリアすると共に、前記現在取引内の紙幣を含む結束済み紙幣及び／又は未確定の紙幣入金枚数分の紙幣を前記投入部に再投入した後、前記現在取引内の前記仮確定及び前記未確定の紙幣を本装置からリジェクトしながら、前記確定部にて登録管理中の前記現在取引直前の前回端数分の紙幣を前記結束対象紙幣集積部に残すべく、この投入部に再投入した紙幣を再搬送する前記搬送部を駆動制御する制御部を有するようにした。【００１５】
また、本願請求項５記載の紙幣入金処理装置は、本願請求項４記載の構成において、前記現在取引のキャンセル操作を検出した場合、前記現在取引内の全ての結束済み紙幣の束数をガイダンス表示する表示部を有するようにした。【００１６】
また、本願請求項６記載の紙幣入金処理装置は、本願請求項１記載の構成において、前記結束タイミングは、前記紙幣結束部にて前記所定枚数分の紙幣を結束したタイミングに相当するようにした。【００１７】
また、本願請求項７記載の紙幣入金処理装置は、本願請求項１記載の構成において、前記結束タイミングは、前記結束対象紙幣集積部に分類集積した前記結束対象の紙幣枚数が所定枚数に到達したタイミングに相当するようにした。【００１８】
また、本願請求項８記載の紙幣入金処理装置は、本願請求項１記載の構成において、前記確定部は、取引完了操作を検出すると、所定の設定により、前記結束対象紙幣集積部に集積した紙幣の抜取りを促し、前記前回端数をゼロとして登録管理するようにした。【００１９】
また、本願請求項９記載の紙幣入金処理装置は、本願請求項１記載の構成において、前記搬送部にて搬送した紙幣を前記特定金種以外の金種に応じて分類集積する分類紙幣集積部と、この分類紙幣集積部に分類集積した前記金種毎の未確定の紙幣枚数として集計する分類紙幣集計部とを有し、前記仮確定部は、前記分類紙幣集積部に分類集積した所定枚数の紙幣の抜取を検出した場合、紙幣抜取タイミングで現在取引内の前記分類紙幣集積部の前記未確定の紙幣入金枚数を仮確定すると共に、前記確定部は、前記取引完了操作を検出すると、前記現在取引内の前記結束対象紙幣集積部の前記仮確定の紙幣入金枚数及び前記未確定の紙幣入金枚数を現在取引内の前記結束対象紙幣集積部の全紙幣入金枚数として確定すると共に、前記現在取引内の前記分類紙幣集積部の前記仮確定の紙幣入金枚数及び前記未確定の紙幣入金枚数を現在取引内の前記分類紙幣集積部の全紙幣入金枚数として確定すると共に、前記結束対象紙幣集積部に集積中の紙幣集積枚数を前記結束対象紙幣集積部の前回端数として登録管理すると共に、前記分類紙幣集積部に集積中の紙幣集積枚数を前記分類紙幣集積部の前回端数として登録管理するようにした。【００２０】
また、本願請求項１０記載の紙幣入金処理装置は、本願請求項９記載の構成において、前記現在取引内で障害復旧操作を検出した場合、前記現在取引内に前記仮確定が存在するか否かを判定する仮確定判定部と、前記現在取引内に前記仮確定が存在する場合、前記現在取引内の前記結束対象紙幣集積部及び前記分類紙幣集積部の前記未確定の紙幣入金枚数をクリアすると共に、前記結束済み紙幣及び前記分類紙幣集積部からの前記抜取済み紙幣を除く、本装置内の全紙幣を前記投入部に再投入した後、この投入部に再投入した紙幣を再搬送する前記搬送部を駆動制御する制御部とを有するようにした。【００２１】
また、本願請求項１１記載の紙幣入金処理装置は、本願請求項１０記載の構成において、前記制御部は、前記仮確定判定部にて前記現在取引内に前記仮確定が存在しない場合、前記現在取引内の前記結束対象紙幣集積部及び前記分類紙幣集積部の前記未確定の紙幣入金枚数をクリアすると共に、本装置内の全紙幣を前記投入部に再投入した後、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御するようにした。【００２２】
また、本願請求項１２記載の紙幣入金処理装置は、本願請求項９記載の構成において、前記現在取引のキャンセル操作を検出した場合、前記現在取引内の前記結束対象紙幣集積部及び前記分類紙幣集積部の前記仮確定の紙幣入金枚数及び前記未確定の紙幣入金枚数をクリアすると共に、前記分類紙幣集積部に集積中の全紙幣の他に、本装置内の前記現在取引内の紙幣を含む結束済み紙幣、前記分類紙幣集積部からの抜取済み紙幣、及び／又は、未確定の紙幣入金枚数分の紙幣を前記投入部に再投入した後、前記現在取引内の前記結束対象紙幣集積部及び前記分類紙幣集積部の前記仮確定及び前記未確定の紙幣を本装置からリジェクトしながら、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御する制御部を有するようにした。【００２３】
また、本願請求項１３記載の紙幣入金処理装置は、本願請求項１２記載の構成において、前記現在取引のキャンセル操作を検出した場合、前記現在取引内の全ての結束済み紙幣の束数をガイダンス表示する表示部を有するようにした。【００２４】
また、上記目的を達成するために本願請求項１４記載の紙幣入金処理方法は、連続した入金取引の入金紙幣枚数を取引単位で確定する紙幣入金処理方法であって、紙幣を投入する投入ステップと、この投入ステップにて投入した紙幣を一枚単位で繰出搬送する搬送ステップと、この搬送ステップで順次搬送した紙幣の内、結束対象の特定金種の紙幣を順次分類集積する結束対象紙幣集積ステップと、この結束対象紙幣集積ステップに分類集積した前記結束対象の紙幣枚数を未確定の紙幣入金枚数として集計する結束対象紙幣集計ステップと、前記結束対象紙幣集積ステップに分類集積した前記結束対象の紙幣枚数が所定枚数に到達した場合、前記所定枚数分の結束対象の紙幣を結束する紙幣結束ステップと、前記所定枚数分の紙幣の結束タイミングに応じて、結束する紙幣の内、現在取引内の前記未確定の紙幣入金枚数を仮確定する仮確定ステップと、取引完了操作を検出すると、現在取引内の前記仮確定の紙幣入金枚数及び前記未確定の紙幣入金枚数を現在取引の全紙幣入金枚数として確定すると共に、前記結束対象紙幣集積ステップにて集積中の紙幣集積枚数を前回端数として登録管理する確定ステップとを含むようにした。【００２５】
また、本願請求項１５記載の紙幣入金処理方法は、本願請求項１４記載の方法に加えて、前記搬送ステップにて搬送した紙幣を前記特定金種以外の金種に応じて分類集積する分類紙幣集積ステップと、この分類紙幣集積ステップに分類集積した前記金種毎の未確定の紙幣枚数として集計する分類紙幣集計ステップとを含み、前記仮確定ステップは、前記分類紙幣集積ステップに分類集積した所定枚数の紙幣の抜取を検出した場合、紙幣抜取タイミングで現在取引内の前記分類紙幣集積ステップの前記未確定の紙幣入金枚数を仮確定すると共に、前記確定ステップは、前記取引完了操作を検出すると、前記現在取引内の前記結束対象紙幣集積ステップの前記仮確定の紙幣入金枚数及び前記未確定の紙幣入金枚数を現在取引内の前記結束対象紙幣集積ステップの全紙幣入金枚数として確定すると共に、前記現在取引内の前記分類紙幣集積ステップの前記仮確定の紙幣入金枚数及び前記未確定の紙幣入金枚数を現在取引内の前記分類紙幣集積ステップの全紙幣入金枚数として確定すると共に、前記結束対象紙幣集積ステップの紙幣集積枚数を前記結束対象紙幣集積ステップの前回端数として登録管理すると共に、前記分類紙幣集積ステップの紙幣集積枚数を前記分類紙幣集積ステップの前回端数として登録管理するようにした。
【発明の効果】
【００２６】
上記のように構成された本願請求項１記載の紙幣入金処理装置では、結束対象の紙幣枚数を未確定の紙幣入金枚数として集計し、所定枚数分の紙幣の結束タイミングに応じて、結束する紙幣の内、現在取引内の未確定の紙幣入金枚数を仮確定するようにしたので、所定枚数分の紙幣を結束する紙幣結束機能を追加したとしても、結束済み紙幣における取引区分の取扱性を良好にできると共に、例えば、現在取引内の障害復旧に際しても、現在取引及び前回取引の全紙幣を投入部に再投入するのではなく、現在取引内に結束済み紙幣があったとしても、その結束済み紙幣を解体することなく、未確定の紙幣を投入部に再投入するだけで済むことになるため、その作業負担を大幅に改善することができる。【００２７】
本願請求項１記載の紙幣入金処理装置では、取引完了操作を検出すると、現在取引内の仮確定の紙幣入金枚数及び未確定の紙幣入金枚数を現在取引の全紙幣入金枚数として確定すると共に、結束対象紙幣集積部に集積中の紙幣集積枚数を前回端数として登録管理するようにしたので、紙幣結束機能を追加したとしても、取引完了操作に応じて、結束する紙幣の内、現在取引及び前回取引の紙幣入金枚数の区分けは勿論のこと、現在取引内の全入金紙幣の紙幣入金枚数を確定することができる。【００２８】
また、本願請求項２記載の紙幣入金処理装置では、本願請求項１記載の効果に加えて、現在取引内で障害復旧操作を検出し、その現在取引内に仮確定が存在する場合、現在取引内の未確定の紙幣入金枚数をクリアすると共に、結束済み紙幣を除く、本装置内の全紙幣を投入部に再投入した後、この投入部に再投入した紙幣を再搬送するようにしたので、現在取引内で結束済み紙幣が存在するとしても、この結束済み紙幣を解体することなく、結束済み紙幣を除く、本装置内の全紙幣を投入部に再投入するだけで、現在取引内の直前の仮確定時点の紙幣集積状態に戻すことができる。【００２９】
また、本願請求項３記載の紙幣入金処理装置では、本願請求項２記載の効果に加えて、現在取引内で障害復旧操作を検出し、その現在取引内に仮確定が存在しない場合、現在取引内の未確定の紙幣入金枚数をクリアすると共に、本装置内の全紙幣を前記投入部に再投入した後、確定部にて登録管理中の現在取引直前の前回端数分の紙幣を結束対象紙幣集積部に残すべく、この投入部に再投入した紙幣を再搬送するようにしたので、現在取引内で結束済み紙幣が存在しない場合、本装置内の全紙幣を投入部に再投入するだけで、現在取引開始直前の紙幣集積状態に戻すことができる。【００３０】
また、本願請求項４記載の紙幣入金処理装置は、本願請求項１記載の効果に加えて、現在取引のキャンセル操作を検出した場合、現在取引内の仮確定の紙幣入金枚数及び未確定の紙幣入金枚数をクリアすると共に、現在取引内の紙幣を含む結束済み紙幣及び／又は未確定の紙幣入金枚数分の紙幣を投入部に再投入した後、現在取引内の仮確定及び未確定の紙幣を本装置からリジェクトしながら、確定部にて登録管理中の現在取引直前の前回端数分の紙幣を結束対象紙幣集積部に残すべく、この投入部に再投入した紙幣を再搬送するようにしたので、現在取引中の全ての紙幣入金取引をキャンセルすることができる。【００３１】
また、本願請求項５記載の紙幣入金処理装置では、本願請求項４記載の効果に加えて、現在取引のキャンセル操作を検出した場合、現在取引内の全ての結束済み紙幣の束数をガイダンス表示するようにしたので、オペレータは、そのガイダンス表示を目視することで、現在取引キャンセルに伴う解体すべき、現在取引の全結束済み紙幣の束数を認識することができる。【００３２】
また、本願請求項６記載の紙幣入金処理装置では、本願請求項１記載の効果に加えて、紙幣結束部にて所定枚数分の紙幣を結束した結束タイミングに応じて、結束する紙幣の内、現在取引内の未確定の紙幣入金枚数を仮確定することができる。【００３３】
また、本願請求項７記載の紙幣入金処理装置では、本願請求項１記載の効果に加えて、結束対象紙幣集積部に分類集積した結束対象の紙幣枚数が所定枚数に到達した結束タイミングに応じて、結束する紙幣の内、現在取引内の未確定の紙幣入金枚数を仮確定することができる。【００３４】
また、本願請求項８記載の紙幣入金処理装置では、本願請求項１記載の効果に加えて、前記確定部は、取引完了操作を検出すると、所定の設定により、前記結束対象紙幣集積部に集積した紙幣の抜取りを促し、前記前回端数をゼロとして登録管理するようにしたので、所定の設定に応じて、取引毎に端数を抜き取ることができる。【００３５】
また、本願請求項９記載の紙幣入金処理装置では、本願請求項１記載の効果に加えて、分類紙幣集積部に分類集積した所定枚数の紙幣の抜取を検出した場合、紙幣抜取タイミングで現在取引内の分類紙幣集積部の未確定の紙幣入金枚数を仮確定するようにしたので、分類紙幣集積部と連動したとしても、結束済み紙幣における取引区分の取扱性を良好にできると共に、例えば、現在取引内の障害復旧に際しても、現在取引及び前回取引の全紙幣を投入部に再投入するのではなく、分類紙幣集積部に集積中の全紙幣の他に、現在取引の結束対象紙幣集積部の未確定の紙幣を投入部に再投入するだけで済むことになるため、その作業負担を大幅に改善することができる。【００３６】
本願請求項９記載の紙幣入金処理装置では、取引完了操作を検出すると、現在取引内の結束対象紙幣集積部の仮確定の紙幣入金枚数及び未確定の紙幣入金枚数を現在取引内の結束対象紙幣集積部の全紙幣入金枚数として確定すると共に、現在取引内の分類紙幣集積部の仮確定の紙幣入金枚数及び未確定の紙幣入金枚数を現在取引内の分類紙幣集積部の全紙幣入金枚数として確定すると共に、結束対象紙幣集積部に集積中の紙幣集積枚数を結束対象紙幣集積部の前回端数として登録管理すると共に、前記分類紙幣集積部に集積中の紙幣集積枚数を前記分類紙幣集積部の前回端数として登録管理するようにしたので、分類紙幣集積部と連動したとしても、取引完了操作に応じて、結束する紙幣の内、現在取引及び前回取引の紙幣入金枚数の区分けは勿論のこと、現在取引内の全紙幣の紙幣入金枚数を確定することができる。【００３７】
また、本願請求項１０記載の紙幣入金処理装置では、本願請求項９記載の効果に加えて、現在取引内で障害復旧操作を検出し、現在取引内に仮確定が存在した場合、現在取引内の結束対象紙幣集積部及び分類紙幣集積部の未確定の紙幣入金枚数をクリアすると共に、結束済み紙幣及び前記分類紙幣集積部からの前記抜取済み紙幣を除く、本装置内の紙幣を投入部に再投入した後、この投入部に再投入した紙幣を再搬送するようにしたので、分類紙幣集積部と連動したとしても、現在取引内で結束済み紙幣が存在する場合、この結束済み紙幣を解体することなく、結束済み紙幣を除く、本装置内の全紙幣を投入部に再投入するだけで、現在取引内の直前の仮確定時点の紙幣集積状態に戻すことができる。【００３８】
また、本願請求項１１記載の紙幣入金処理装置では、本願請求項１０記載の効果に加えて、現在取引内に障害復旧操作を検出し、現在取引内に仮確定が存在しない場合、現在取引内の結束対象紙幣集積部及び分類紙幣集積部の未確定の紙幣入金枚数をクリアすると共に、本装置内の全紙幣を投入部に再投入した後、登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送するようにしたので、分類紙幣集積部と連動したとしても、現在取引内で結束済み紙幣が存在しない場合、本装置内の全紙幣を投入部に再投入するだけで、現在取引開始直前の紙幣集積状態に戻すことができる。【００３９】
また、本願請求項１２記載の紙幣入金処理装置では、本願請求項９記載の効果に加えて、現在取引のキャンセル操作を検出した場合、現在取引内の結束対象紙幣集積部及び分類紙幣集積部の仮確定の紙幣入金枚数及び未確定の紙幣入金枚数をクリアすると共に、分類紙幣集積部に集積中の全紙幣の他に、本装置内の現在取引内の紙幣を含む全ての結束済み紙幣、前記分類紙幣集積部からの抜取済み紙幣、及び／又は、未確定の紙幣入金枚数分の紙幣を投入部に再投入した後、現在取引内の結束対象紙幣集積部及び分類紙幣集積部の仮確定及び未確定の紙幣を本装置からリジェクトしながら、確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送するようにしたので、分類紙幣集積部と連動したとしても、現在取引中の全ての紙幣入金取引をキャンセルすることができる。【００４０】
また、本願請求項１３記載の紙幣入金処理装置では、本願請求項１２記載の効果に加えて、現在取引のキャンセル操作を検出した場合、現在取引内の全ての結束済み紙幣の束数をガイダンス表示するようにしたので、オペレータは、そのガイダンス表示を目視することで、現在取引キャンセルに伴う解体すべき、現在取引の全結束済み紙幣の束数を認識することができる。【００４１】
また、上記のように構成された本願請求項１４記載の紙幣入金処理方法では、結束対象の紙幣枚数を未確定の紙幣入金枚数として集計し、所定枚数分の紙幣の結束タイミングに応じて、結束する紙幣の内、現在取引内の未確定の紙幣入金枚数を仮確定するようにしたので、所定枚数分の紙幣を結束する紙幣結束機能を追加したとしても、結束済み紙幣における取引区分の取扱性を良好にできると共に、例えば、現在取引内の障害復旧に際しても、現在取引及び前回取引の全紙幣を再投入するのではなく、現在取引内に結束済み紙幣があったとしても、その結束済み紙幣を解体することなく、未確定の紙幣を再投入するだけで済むことになるため、その作業負担を大幅に改善することができる。【００４２】
本願請求項１４記載の紙幣入金処理方法では、取引完了操作を検出すると、現在取引内の仮確定の紙幣入金枚数及び未確定の紙幣入金枚数を現在取引の全紙幣入金枚数として確定すると共に、結束対象紙幣集積ステップに集積中の紙幣集積枚数を前回端数として登録管理するようにしたので、紙幣結束機能を追加したとしても、取引完了操作に応じて、結束する紙幣の内、現在取引及び前回取引の紙幣入金枚数の区分けは勿論のこと、現在取引内の全入金紙幣の紙幣入金枚数を確定することができる。【００４３】
また、本願請求項１５記載の紙幣入金処理方法では、本願請求項１４記載の効果に加えて、分類紙幣集積ステップに分類集積した紙幣の抜取を検出した場合、紙幣抜取タイミングで現在取引内の分類紙幣集積ステップの未確定の紙幣入金枚数を仮確定するようにしたので、分類紙幣集積ステップと連動したとしても、結束済み紙幣における取引区分の取扱性を良好にできると共に、例えば、現在取引内の障害復旧に際しても、現在取引及び前回取引の全紙幣を再投入するのではなく、分類紙幣集積ステップに集積中の全紙幣の他に、現在取引の結束対象紙幣集積ステップの未確定の紙幣を再投入するだけで済むことになるため、その作業負担を大幅に改善することができる。【００４４】
本願請求項１５記載の紙幣入金処理方法では、本願請求項１４記載の効果に加えて、取引完了操作を検出すると、現在取引内の結束対象紙幣集積ステップの仮確定の紙幣入金枚数及び未確定の紙幣入金枚数を現在取引内の結束対象紙幣集積ステップの全紙幣入金枚数として確定すると共に、現在取引内の分類紙幣集積ステップの仮確定の紙幣入金枚数及び未確定の紙幣入金枚数を現在取引内の分類紙幣集積ステップの全紙幣入金枚数として確定すると共に、結束対象紙幣集積ステップの紙幣集積枚数を結束対象紙幣集積ステップの前回端数として登録管理すると共に、前記分類紙幣集積ステップの紙幣集積枚数を前記分類紙幣集積ステップの前回端数として登録管理するようにしたので、分類紙幣集積ステップと連動したとしても、取引完了操作に応じて、結束する紙幣の内、現在取引及び前回取引の紙幣入金枚数の区分けは勿論のこと、現在取引内の全紙幣の紙幣入金枚数を確定することができる。
【図面の簡単な説明】
【００４５】
【図１】図１は、本実施例の紙幣入金処理装置の概略構成を示す説明図である。
【図２】図２は、紙幣入金処理装置内部の概略構成を示すブロック図である。
【図３】図３は、紙幣入金処理装置の入金紙幣分類集積処理に関わる制御部の処理動作を示すフローチャートである。
【図４】図４は、取引正常時に関わる結束対象紙幣集積部、結束側カウンタ部及び結束側表示部の状態遷移を端的に示す説明図である。
【図５】図５は、紙幣入金処理装置の障害復旧処理に関わる制御部の処理動作を示すフローチャートである。
【図６】図６は、障害復旧時に関わる結束対象紙幣集積部、結束側カウンタ部及び結束側表示部の状態遷移を端的に示す説明図である。
【図７】図７は、紙幣入金処理装置の取引キャンセル処理に関わる制御部の処理動作を示すフローチャートである。
【図８】図８は、取引キャンセル時に関わる結束対象紙幣集積部、結束側カウンタ部及び結束側表示部の状態遷移を端的に示す説明図である。
【符号の説明】
【００４６】
１  紙幣入金処理装置
１１  ホッパ部
１３  搬送部
１６  スタッカ
２１  結束対象紙幣集積部
２２  紙幣結束部
２３  結束紙幣搬送部
３１Ａ  スタッカ側紙幣集計部
３１Ｂ  紙幣抜取検出部
４１Ａ  結束側紙幣集計部
４１Ｂ  所定枚数検出部
８３  情報表示部
１００  制御部
１０１  仮確定部
１０２  確定部
１０３  仮確定判定部
１０４  障害復旧処理部
１０５  取引キャンセル処理部
１１０  駆動制御部
【発明を実施するための最良の形態】
【００４７】
以下、図面に基づき本発明の紙幣入金処理装置及び紙幣入金処理方法の実施例について詳細に説明する。【００４８】
まず、最初に本実施例の概要を説明するとすれば、その概要は、結束対象の紙幣枚数を未確定の紙幣入金枚数として集計し、所定枚数分の紙幣を結束するタイミングに応じて、結束する紙幣の内、現在取引内の未確定の紙幣入金枚数を仮確定するようにした。【００４９】
その結果、所定枚数分の紙幣を結束する紙幣結束機能を追加したとしても、結束済み紙幣における取引区分の取扱性を良好にできると共に、例えば、現在取引内の障害復旧に際しても、現在取引及び前回取引の全紙幣を投入部に再投入するのではなく、現在取引内に結束済み紙幣があったとしても、その結束済み紙幣を解体することなく、未確定の紙幣を投入部に再投入するだけで済むことになるため、その作業負担を大幅に改善することができる。【００５０】
さらに、本実施例では、取引完了操作に応じて、結束する紙幣の内、現在取引及び前回取引の紙幣入金枚数の区分けは勿論のこと、現在取引内の全入金紙幣の紙幣入金枚数を確定することができる。【００５１】
図１は、本実施例の紙幣入金処理装置の概略構成を示す説明図、図２は、紙幣入金処理装置内部の概略構成を示すブロック図である。【００５２】
図１に示す紙幣入金処理装置１は、取引紙幣を連続入金し、これら入金した紙幣を金種毎に分類集積すると共に、その紙幣の入金枚数を金種毎に集計する紙幣処理装置２と、紙幣処理装置２にて分類した特定金種の紙幣を所定枚数単位で結束する紙幣結束装置３とを有し、入金取引の入金紙幣枚数を取引単位で確定するものである。【００５３】
紙幣処理装置２は、取引紙幣を装置内に投入するホッパ部１１と、このホッパ部１１に投入した紙幣を一枚単位で繰り出す繰出部１２と、この繰出部１２にて繰り出した紙幣を搬送する搬送部１３と、この搬送部１３で搬送した紙幣の金種を識別する金種識別部１４と、搬送部１３で搬送した紙幣を表面及び裏面の内、何れか一方の特定面に向けるように紙幣を反転する反転部１５とを有している。【００５４】
また、紙幣処理装置２は、搬送部１３で搬送した紙幣を分類集積する、例えば、紙幣金種に応じた６個のスタッカ１６と、スタッカ１６に対応する金種及び紙幣結束装置３に対応する特定金種に該当しない紙幣をリジェクトするリジェクト部１７とを有している。尚、紙幣金種とは、例えば、米ドルの場合、１米ドル、２米ドル、５米ドル、１０米ドル、２０米ドル、５０米ドル、１００米ドルの７種類である。【００５５】
また、紙幣処理装置２は、例えば、６個のスタッカ１６の内、第１スタッカ１６Ａを２米ドル、第２スタッカ１６Ｂを５米ドル、第３スタッカ１６Ｃを１０米ドル、第４スタッカ１６Ｄを２０米ドル、第５スタッカ１６Ｅを５０米ドル、第６スタッカ１６Ｆを１００米ドルに分類集積するものである。【００５６】
また、紙幣結束装置３は、紙幣処理装置２内部の搬送部１３を通じて特定金種、例えば１米ドルの紙幣を分類集積する２個の結束対象紙幣集積部２１と、これら２個の結束対象紙幣集積部２１にて分類集積した特定金種の紙幣の紙幣枚数が所定枚数、例えば１００枚に到達した場合、その１００枚分の紙幣を結束する紙幣結束部２２と、結束対象紙幣集積部２１に集積中の１００枚分の紙幣を結束対象紙幣として紙幣結束部２２に搬送する結束紙幣搬送部２３とを有している。【００５７】
結束紙幣搬送部２３は、結束対象紙幣集積部２１に集積中の１米ドル紙幣が１００枚に到達した場合、結束対象紙幣集積部２１に集積中の１００枚分の１米ドル紙幣を紙幣束抜取部（図示せぬ）で抜取挟持し、その１００枚分の１米ドル紙幣を抜取挟持した紙幣束抜取部の昇降動作を通じて、１００枚分の１米ドル紙幣を紙幣結束部２２に搬送するものである。【００５８】
紙幣結束部２２は、結束紙幣搬送部２３を通じて１００枚分の１米ドル紙幣が搬送されると、これら１００枚分の１米ドル紙幣を結束するものである。尚、結束した１００枚分の１米ドル紙幣を結束済み紙幣とする。【００５９】
また、結束対象紙幣集積部２１を２個にしたのは、例えば、一方の結束対象紙幣集積部２１が満杯になった場合でも、他方の結束対象紙幣集積部２１に特定金種の紙幣を集積可能にしたものである。【００６０】
また、紙幣結束装置３は、紙幣結束部２２にて結束した結束済み紙幣を集積する結束済み紙幣集積部２５と、紙幣結束部２２にて結束した結束済み紙幣を結束済み紙幣集積部２５に搬送する結束済み紙幣搬送部２４とを有している。【００６１】
図２は、紙幣入金処理装置１内部の概略構成を示すブロック図である。【００６２】
図２に示す紙幣入金処理装置１は、金種識別部１４の他に、紙幣処理装置２内部のスタッカ側メカ機構３０と、紙幣結束装置３内部の結束側メカ機構４０と、様々なコマンドを入力する操作部５０と、スタッカ側メカ機構３０及び結束側メカ機構４０を駆動制御する駆動制御部１１０と、この紙幣入金処理装置１全体を制御する制御部１００とを有している。【００６３】
スタッカ側メカ機構３０は、繰出部１２、搬送部１３及び反転部１５の他に、スタッカ１６内部の状態を検出するスタッカ側検出センサ部３１を有している。【００６４】
スタッカ側検出センサ部３１は、第１〜第６スタッカ１６Ａ〜１６Ｆ等のスタッカ１６毎に配置し、そのスタッカ１６内部に集積した紙幣枚数を集計するスタッカ側紙幣集計部３１Ａと、そのスタッカ１６内部の全紙幣の抜取を検出する紙幣抜取検出部３１Ｂとを有している。【００６５】
結束側メカ機構４０は、紙幣結束部２２、結束紙幣搬送部２３及び結束済み紙幣搬送部２４の他に、結束対象紙幣集積部２１内部の状態を検出する結束側検出センサ部４１を有している。【００６６】
結束側検出センサ部４１は、結束対象紙幣集積部２１内部に集積した紙幣枚数を集計する結束側紙幣集計部４１Ａと、結束側紙幣集計部４１Ａを通じて結束対象紙幣集積部２１に集積中の紙幣枚数が１００枚に到達したことを検知する所定枚数検出部４１Ｂとを有している。【００６７】
操作部５０は、入金取引完了を指示する取引完了キー５１と、現在取引のキャンセルを指示するキャンセルキー５２と、取引中の障害復旧を指示する障害復旧キー５３とを有している。【００６８】
障害復旧キー５３は、取引中に紙幣入金処理装置１内部で紙幣詰まり（ジャム）等の障害発生後、現在取引中の直前の仮確定時点又は前回取引直後の紙幣集積状態に戻してから、分類集積を継続する、後述する障害復旧処理（図５参照）を起動するためのキーに相当するものである。【００６９】
キャンセルキー５２は、現在取引をキャンセルし、前回取引直後の紙幣集積状態に戻す、後述する取引キャンセル処理（図７参照）を起動するためのキーに相当するものである。【００７０】
紙幣入金処理装置１は、スタッカ１６内部に集積中の紙幣集積枚数に関わる各種情報を登録するスタッカ側カウンタ部６０と、結束対象紙幣集積部２１内部に集積中の紙幣集積枚数に関わる各種情報を登録する結束側カウンタ部７０と、スタッカ１６内部に集積中の紙幣集積枚数に関わる各種情報を表示するスタッカ側表示部８０と、結束対象紙幣集積部２１内部に集積中の紙幣集積枚数に関わる各種情報を表示する結束側表示部９０とを有している。【００７１】
スタッカ側カウンタ部６０は、例えば、第１〜第６スタッカ１６Ａ〜１６Ｆ毎に配置し、スタッカ側未確定カウンタ６１、スタッカ側仮確定カウンタ６２、スタッカ側確定カウンタ６３、スタッカ側累計カウンタ６４及びスタッカ側前回端数カウンタ６５を有している。【００７２】
スタッカ側未確定カウンタ６１は、現在取引中に、そのスタッカ１６内に順次集積する未確定紙幣の枚数、すなわちスタッカ側未確定枚数を順次加算登録するものである。【００７３】
スタッカ側仮確定カウンタ６２は、現在取引中に、所定枚数での紙幣抜取タイミング又は所定枚数到達タイミングに応じて、各スタッカ１６内に集積中の未確定紙幣の枚数を現在取引の入金紙幣枚数として仮確定し、その仮確定した紙幣枚数をスタッカ側仮確定枚数として加算登録するものである。尚、所定枚数での紙幣抜取タイミングは、紙幣抜取検出部３１Ｂの検出タイミングに相当し、所定枚数到達タイミングは、スタッカ１６毎に所定枚数、例えば１００枚を予め設定済みの場合、スタッカ１６の紙幣集積枚数が所定枚数に到達したタイミングに相当するものである。【００７４】
尚、スタッカ側未確定カウンタ６１は、スタッカ側仮確定カウンタ６２にてスタッカ側仮確定枚数を加算登録した場合、登録中のスタッカ側未確定枚数から加算登録枚数分を減算するものである。【００７５】
スタッカ側確定カウンタ６３は、現在取引が完了すると、各スタッカ１６内に集積中の紙幣のスタッカ側仮確定枚数及びスタッカ側未確定枚数の加算結果を現在取引のスタッカ対応金種の入金紙幣枚数として確定し、その確定した紙幣枚数をスタッカ側確定枚数として登録するものである。【００７６】
スタッカ側累計カウンタ６４は、そのスタッカ１６内に集積中のスタッカ側確定枚数の累計枚数をスタッカ側累計枚数として登録するものである。【００７７】
スタッカ側前回端数カウンタ６５は、現在取引が完了すると、そのスタッカ１６内に集積中の紙幣集積枚数を前回端数とし、その前回端数を登録するものである。【００７８】
また、スタッカ側表示部８０は、例えば、第１〜第６スタッカ１６Ａ〜１６Ｆ毎に配置し、そのスタッカ１６に集積した現在取引中の集積枚数を表示するスタッカ側取引中集積枚数表示部８１と、そのスタッカ１６に現在集積中の紙幣集積枚数を表示するスタッカ側現在集積枚数表示部８２と、各種ガイダンスを表示する情報表示部８３とを有している。【００７９】
スタッカ側取引中集積枚数表示部８１は、スタッカ側未確定カウンタ６１に登録中のスタッカ側未確定枚数とスタッカ側仮確定カウンタ６２に登録中のスタッカ側仮確定枚数との加算結果を取引中集積枚数として表示するものである。【００８０】
また、結束側カウンタ部７０は、結束対象紙幣集積部２１の結束側未確定カウンタ７１、結束側仮確定カウンタ７２、結束側確定カウンタ７３、結束側累計カウンタ７４及び結束側前回端数カウンタ７５を有している。【００８１】
結束側未確定カウンタ７１は、現在取引中に、その結束対象紙幣集積部２１内に順次集積する未確定紙幣の枚数、すなわち結束側未確定枚数を順次加算登録するものである。【００８２】
結束側仮確定カウンタ７２は、現在取引中に、紙幣結束部２２の紙幣結束タイミングに応じて、その結束対象紙幣集積部２１内に集積中の未確定紙幣の枚数を現在取引の入金紙幣枚数として仮確定し、その仮確定した紙幣枚数を結束側仮確定枚数として加算登録するものである。尚、結束側未確定カウンタ７１は、結束側仮確定カウンタ７２にて結束側仮確定枚数を加算登録した場合、登録中のスタッカ側未確定枚数から加算登録枚数分を減算するものである。【００８３】
結束側確定カウンタ７３は、現在取引が完了すると、その結束対象紙幣集積部２１内に集積中の紙幣の結束側未確定枚数及び結束側仮確定枚数の加算結果を現在取引内の特定金種の入金紙幣枚数として確定し、その確定した紙幣枚数を結束側確定枚数として登録するものである。【００８４】
また、結束側前回端数カウンタ７５は、現在取引が完了すると、結束対象紙幣集積部２１に集積中の紙幣集積枚数を前回端数とし、その前回端数を登録するものである。【００８５】
結束側累計カウンタ７４は、特定金種紙幣の累計枚数を結束側累計枚数として登録するものである。【００８６】
また、結束側表示部９０は、現在取引中の特定金種の紙幣に関わる紙幣枚数を表示する結束側取引中紙幣枚数表示部９１と、結束対象紙幣集積部２１に現在集積中の紙幣枚数を表示する結束側現在集積枚数表示部９２とを有している。【００８７】
結束側取引中紙幣枚数表示部９１は、結束側未確定カウンタ７１に登録中の結束側未確定枚数と結束側仮確定カウンタ７２に登録中の結束側仮確定枚数との加算結果を取引中紙幣枚数として表示するものである。【００８８】
結束側現在集積枚数表示部９２は、結束対象紙幣集積部２１に現在集積中の紙幣集積枚数を表示するものである。【００８９】
駆動制御部１１０は、搬送部１３にて搬送した紙幣がスタッカ対応金種の場合、その紙幣を紙幣処理装置２内の対応金種のスタッカ１６内部に分類集積すべく、搬送部１３を駆動制御すると共に、搬送部１３にて搬送した紙幣が特定金種の場合、その紙幣を紙幣結束装置３内の結束対象紙幣集積部２１内部に分類集積すべく、搬送部１３を駆動制御するものである。【００９０】
また、制御部１００は、紙幣結束タイミング又は紙幣抜取タイミング（所定枚数到達タイミング）に応じて、現在取引中に現在取引の入金紙幣枚数を仮確定する仮確定部１０１と、取引完了操作に応じて、現在取引の入金紙幣枚数を確定する確定部１０２と、障害復旧に際して現在取引内に直前の仮確定があるか否かを判定する仮確定判定部１０３とを有している。【００９１】
仮確定部１０１は、現在取引中の紙幣結束タイミングに応じて、結束対象紙幣集積部２１に集積中の１００枚分紙幣の結束側未確定枚数を現在取引中の特定金種の入金紙幣枚数として仮確定すると共に、その結束側未確定枚数を結束側仮確定枚数として結束側仮確定カウンタ７２に加算登録するものである。【００９２】
また、仮確定部１０１は、現在取引中に紙幣抜取検出部３１Ｂの所定枚数での紙幣抜取タイミング又は所定枚数到達タイミングに応じて、現在取引中の各スタッカ１６に集積中の紙幣のスタッカ側未確定紙幣枚数を現在取引中のスタッカ対応金種の入金紙幣枚数として仮確定すると共に、そのスタッカ側未確定紙幣枚数をスタッカ側仮確定枚数としてスタッカ側仮確定カウンタ６２に加算登録するものである。【００９３】
また、確定部１０２は、現在取引中に取引完了キー５１のキー操作、すなわち取引完了操作を検出した場合、現在取引を完了すべく、結束側仮確定カウンタ７２に登録中の結束側仮確定枚数及び結束側未確定カウンタ７１に登録中の結束側未確定枚数の加算結果を現在取引中の特定金種の入金紙幣枚数として確定すると共に、その加算結果を現在取引の結束側確定枚数として結束側確定カウンタ７３に登録するものである。【００９４】
さらに、確定部１０２は、結束側確定カウンタ７３に現在取引の結束側確定枚数を登録すると、結束対象紙幣集積部２１に集積中の紙幣集積枚数を前回端数として結束側前回端数カウンタ７５に登録するものである。【００９５】
また、確定部１０２は、現在取引中に取引完了操作を検出した場合、スタッカ１６毎に、そのスタッカ側仮確定カウンタ６２に登録中のスタッカ側仮確定枚数及びスタッカ側未確定カウンタ６１に登録中のスタッカ側未確定枚数の加算結果を現在取引中のスタッカ対応金種の入金紙幣枚数として確定すると共に、その加算結果をスタッカ側確定枚数としてスタッカ側確定カウンタ６３に登録するものである。【００９６】
さらに、確定部１０２は、スタッカ側確定カウンタ６３に現在取引のスタッカ側確定枚数を登録すると、スタッカ１６に集積中の紙幣集積枚数を前回端数としてスタッカ側前回端数カウンタ６５に登録するものである。【００９７】
確定部１０２は、結束側確定カウンタ７３に登録中の結束側確定枚数及び、各スタッカ側確定枚数に登録中の各スタッカ側確定枚数で現在取引内の金種毎の入金紙幣枚数を出力することになる。【００９８】
また、確定部１０２は、結束側確定カウンタ７３に登録中の結束側確定枚数を、前回取引までの結束側累計枚数を登録中の結束側累計カウンタ７４に加算登録し、結束側累計枚数を更新するものである。【００９９】
また、確定部１０２は、スタッカ１６毎に、スタッカ側確定カウンタ６３に登録中のスタッカ側確定枚数を、スタッカ１６に集積中紙幣の前回取引までのスタッカ側累計枚数を登録中のスタッカ側累計カウンタ６４に加算登録し、スタッカ側累計枚数を更新するものである。【０１００】
また、制御部１００は、障害復旧処理に関わる処理動作を実行する障害復旧処理部１０４と、取引キャンセル処理に関わる処理動作を実行する取引キャンセル処理部１０５とを有している。【０１０１】
また、取引キャンセル処理部１０５は、現在取引中にキャンセルキー５２のキー操作、すなわち取引キャンセル操作を検出した場合、結束側仮確定カウンタ７２に登録中の結束側仮確定枚数に基づき、現在取引の紙幣を含む結束済み紙幣が存在するか否かを判定し、結束済み紙幣が存在する場合、現在取引の紙幣を含む結束済み紙幣の束数を情報表示部８３にガイダンス表示すると共に、結束済み紙幣が存在しない場合、現在取引の紙幣を含む結束済み紙幣がない旨を情報表示部８３にガイダンス表示するものである。【０１０２】
オペレータは、情報表示部８３に表示中のガイダンス表示に基づき、例えば、現在取引の紙幣を含む結束済み紙幣の束数を認識し、その束数分の結束済み紙幣を解体した紙幣、結束対象紙幣集積部２１に集積中の結束側未確定枚数分の紙幣、全スタッカ１６に集積中の全紙幣を回収し、これら回収紙幣をホッパ部１１に再投入するものである。【０１０３】
取引キャンセル処理部１０５は、駆動制御部１１０を通じて、再投入した回収紙幣の分類集積動作を開始し、その結束対象紙幣集積部２１に集積中の紙幣集積枚数が結束側前回端数カウンタ７５に登録中の前回端数に到達、かつ、各スタッカ１６に集積中の紙幣集積枚数がスタッカ側前回端数カウンタ６５に登録中の前回端数に到達したか否かを監視するものである。【０１０４】
取引キャンセル処理部１０５は、再投入した回収紙幣の分類集積動作中に、結束対象紙幣集積部２１に集積中の紙幣集積枚数が結束側前回端数カウンタ７５に登録中の前回端数に到達した場合、その後、全回収紙幣の分類集積動作が終了するまで結束対象紙幣集積部２１に対応する特定金種の紙幣を検出したとしても、その紙幣をリジェクト部１７にリジェクトするものである。【０１０５】
また、同様に、取引キャンセル処理部１０５は、再投入した回収紙幣の分類集積動作中に、各スタッカ１６に集積中の紙幣集積枚数がスタッカ側前回端数カウンタ６５に登録中の前回端数に到達した場合、その後、全回収紙幣の分類集積動作が終了するまで同スタッカ１６に対応する金種の紙幣を検出したとしても、その紙幣をリジェクト部１７にリジェクトするものである。【０１０６】
その結果、取引キャンセル処理部１０５は、再投入した回収紙幣の分類集積動作に応じて、現在取引中の全入金紙幣をリジェクト部１７から回収し、現在取引開始直前の紙幣の集積状態に戻すことができるものである。【０１０７】
また、オペレータは、現在取引中にジャム等の障害が発生した場合、その障害解消後、結束済み紙幣及びスタッカ１６からの抜取済み紙幣を除く、結束対象紙幣集積部２１に集積中の未確定紙幣及び、全スタッカ１６に集積中の全紙幣を回収し、これら回収紙幣をホッパ部１１に再投入するものである。【０１０８】
障害復旧処理部１０４は、ホッパ部１１に対して回収紙幣の再投入後、障害復旧キー５３のキー操作、すなわち障害復旧操作を検出した場合、仮確定判定部１０３にて現在取引内に仮確定が存在するか否かを判定するものである。【０１０９】
障害復旧処理部１０４は、仮確定判定部１０３にて現在取引内に仮確定が存在し、その仮確定が紙幣結束タイミングによる仮確定の場合、再投入した回収紙幣の分類集積動作を開始し、仮確定のないスタッカ１６の集積枚数がスタッカ側前回端数カウンタ６５に登録中の前回端数に到達したか否かを監視するものである。【０１１０】
尚、制御部１００は、再投入した回収紙幣の分類集積動作を開始する際、前回取引のスタッカ側端数枚数をスタッカ側現在集積枚数表示部８２にマイナス表示するものである。例えば、その前回端数が７０枚の場合、スタッカ側現在集積枚数表示部８２は「−７０」をマイナス表示することになる。そして、スタッカ側現在集積枚数表示部８２は、対応するスタッカ１６に回収紙幣が集積される度に、「−７０」→「−６９」→「−６８」→…→「−１」にマイナス表示を切替え、その後、スタッカ側現在集積枚数表示部８２は、スタッカ１６の集積枚数が前回端数に到達した時点でマイナス表示から通常表示、すなわちスタッカ１６に現在集積中の集積枚数表示「７０」に切替えることになる。その結果、オペレータは、そのスタッカ側現在集積枚数表示部８２の表示を目視することで直前仮確定時点の紙幣集積状態に戻るまでの不足の紙幣枚数を認識することができるものである。【０１１１】
障害復旧処理部１０４は、再投入した回収紙幣の分類集積動作中に、仮確定のないスタッカ１６に集積中の紙幣集積枚数が前回取引のスタッカ側端数枚数に到達した場合、現在取引内の直前仮確定時点の紙幣集積状態に戻すことができるものである。【０１１２】
また、障害復旧処理部１０４は、仮確定判定部１０３にて現在取引内に仮確定が存在し、その仮確定が所定枚数での紙幣抜取タイミング又は所定枚数到達タイミングによる仮確定の場合、再投入した回収紙幣の分類集積動作を開始し、結束対象紙幣集積部２１に集積中の紙幣集積枚数が結束側前回端数枚数カウンタ７５に登録中の前回端数に到達及び、現在取引内で仮確定のないスタッカ１６に集積中の紙幣集積枚数がスタッカ側前回端数枚数カウンタ６５に登録中の前回端数に到達したか否かを監視するものである。【０１１３】
尚、制御部１００は、再投入した回収紙幣の分類集積動作を開始する際、スタッカ側現在集積枚数表示部８２のマイナス表示について説明したが、結束対象紙幣集積部２１側の結束側現在集積枚数表示部９２についても同様であって、例えば、結束側前回端数枚数が７０枚の場合、結束側現在集積枚数表示部９２は「−７０」をマイナス表示することになる。そして、結束側現在集積枚数表示部９２は、結束対象紙幣集積部２１に回収紙幣が集積される度に、「−７０」→「−６９」→「−６８」→…→「−１」にマイナス表示を切替え、その後、結束対象紙幣集積部２１の集積枚数が結束側前回端数に到達した時点でマイナス表示から通常表示、すなわち結束対象紙幣集積部２１に現在集積中の集積枚数表示「７０」に切替えることになる。【０１１４】
障害復旧処理部１０４は、再投入した回収紙幣の分類集積動作中に、結束対象紙幣集積部２１に集積中の紙幣集積枚数が結束側前回端数カウンタ７５に登録中の前回端数に達した場合、直前仮確定時点の結束対象紙幣集積部２１の紙幣集積状況に戻ったことになる。【０１１５】
また、障害復旧処理部１０４は、再投入した回収紙幣の分類集積動作中に、仮確定のないスタッカ１６に集積中の紙幣集積枚数がスタッカ側前回端数枚数カウンタ６５に登録中の前回端数に到達した場合、直前仮確定時点のスタッカ側仮確定枚数及び前回取引のスタッカ側累計枚数の加算結果に到達した場合、直前仮確定時点の各スタッカ１６の紙幣集積状況に戻ったことになる。【０１１６】
また、障害復旧処理部１０４は、仮確定判定部１０３にて現在取引内に仮確定が存在しない場合、結束対象紙幣集積部２１に集積中の紙幣集積枚数が結束側前回端数カウンタ７５に登録中の前回端数に到達及び、仮確定のないスタッカ１６に集積中の紙幣集積枚数がスタッカ側前回端数枚数カウンタ６５に登録中の前回端数に到達するか否かを監視するものである。【０１１７】
障害復旧処理部１０４は、再投入した回収紙幣の分類集積動作中に、結束対象紙幣集積部２１に集積中の紙幣集積枚数が前回端数に到達した場合、現在取引開始時点の結束対象紙幣集積部２１の紙幣集積状態に戻ったことになる。【０１１８】
また、障害復旧処理部１０４は、再投入した回収紙幣の分類集積動作中に、仮確定のないスタッカ１６に集積中の紙幣集積枚数がスタッカ側前回端数枚数カウンタ６５に登録中の前回端数に到達した場合、現在取引開始時点の各スタッカ１６の紙幣集積状態に戻ったことになる。【０１１９】
尚、本願請求項記載の紙幣入金処理装置は紙幣入金処理装置１、投入部はホッパ部１１、搬送部は搬送部１３及び結束紙幣搬送部２３、結束対象紙幣集積部は結束対象紙幣集積部２１、結束対象紙幣集計部は結束側紙幣集計部４１Ａ、紙幣結束部は紙幣結束部２２、仮確定部は仮確定部１０１、所定枚数検出部４１Ｂ及び紙幣抜取検出部３１Ｂ、確定部は確定部１０２、仮確定判定部は仮確定判定部１０３、制御部は駆動制御部１１０、障害復旧処理部１０４及び取引キャンセル処理部１０５、表示部は情報表示部８３、分類紙幣集積部はスタッカ１６、分類紙幣集計部はスタッカ側紙幣集計部３１Ａに対応するものである。【０１２０】
次に、本実施例の紙幣入金処理装置１の動作について説明する。図３は、紙幣入金処理装置１の入金紙幣分類集積処理に関わる制御部１００の処理動作を示すフローチャートである。【０１２１】
図３に示す入金紙幣分類集積処理は、取引単位で入金紙幣の枚数を金種毎に集計する処理である。【０１２２】
オペレータは、現在取引の入金紙幣をホッパ部１１に投入した後、取引開始操作を実行する。【０１２３】
紙幣入金処理装置１内部の制御部１００は、ホッパ部１１に投入した紙幣を金種毎に順次分類し、金種に応じて紙幣を結束対象紙幣集積部２１又はスタッカ１６に順次集積する。【０１２４】
制御部１００は、取引完了キー５１を通じて、現在取引内の取引完了操作を検出したか否かを判定する（ステップＳ１１）。【０１２５】
制御部１００は、現在取引内の取引完了操作を検出しなかった場合（ステップＳ１１否定）、搬送路上の金種識別部１４を通じて紙幣を検出したか否かを判定する（ステップＳ１２）。【０１２６】
制御部１００は、紙幣を検出した場合（ステップＳ１２肯定）、その紙幣が特定金種であるか否かを判定する（ステップＳ１３）。【０１２７】
制御部１００は、紙幣が特定金種の場合（ステップＳ１３肯定）、この紙幣を結束対象紙幣と判断し、その紙幣を結束対象紙幣集積部２１に集積すべく、搬送部１３を駆動制御する（ステップＳ１４）。【０１２８】
制御部１００は、紙幣を結束対象紙幣集積部２１に集積すると、その都度、現在取引内の結束側未確定枚数を結束側未確定カウンタ７１に加算登録する（ステップＳ１５）。尚、結束側紙幣集計部４１Ａは、結束対象紙幣集積部２１に紙幣を集積する度に、結束側未確定枚数として結束側未確定カウンタを＋１インクリメントするものである。【０１２９】
制御部１００は、現在取引内の結束側未確定枚数を結束側未確定カウンタ７１に加算登録すると、所定枚数検出部４１Ｂを通じて結束対象紙幣集積部２１に集積中の紙幣の集積枚数が所定枚数に到達したか否かを判定する（ステップＳ１６）。【０１３０】
制御部１００は、結束対象紙幣集積部２１に集積中の紙幣の集積枚数が所定枚数に到達した場合（ステップＳ１６肯定）、所定枚数分の紙幣を紙幣結束部２２に結束紙幣搬送部２３を通じて搬送し、所定枚数分の紙幣を結束する（ステップＳ１７）。【０１３１】
制御部１００は、紙幣結束部２２にて結束した所定枚数分の紙幣を結束済み紙幣とし、この結束済み紙幣を、結束済み紙幣搬送部２４を通じて結束済み紙幣集積部２５に搬送し、この結束済み紙幣を結束済み紙幣集積部２５に集積する（ステップＳ１８）。【０１３２】
また、制御部１００内部の仮確定部１０１は、ステップＳ１７にて紙幣結束部２２の紙幣結束タイミング時点の現在取引内の結束側未確定カウンタ７１に登録中の結束側未確定枚数の当該所定枚数分を特定金種の紙幣入金枚数として仮確定し、その結束側未確定枚数を結束側仮確定枚数として結束側仮確定カウンタ７２に加算登録し（ステップＳ１９）、現在取引の取引完了操作を検出したか否かを判定すべく、ステップＳ１１に移行する。尚、制御部１００は、結束側未確定枚数を結束側仮確定枚数として結束側仮確定カウンタ７２に加算登録した場合、結束側未確定カウンタ７１に登録中の結束側未確定枚数から加算登録枚数分を減じることになる。【０１３３】
また、制御部１００は、ステップＳ１３にて紙幣が特定金種でない場合（ステップＳ１３否定）、紙幣がスタッカ対応の金種であるか否かを判定する（ステップＳ２０）。制御部１００は、紙幣がスタッカ対応の金種の場合（ステップＳ２０肯定）、搬送部１３を通じて紙幣金種に応じたスタッカ１６に同紙幣を集積する（ステップＳ２１）。【０１３４】
制御部１００は、紙幣金種に応じたスタッカ１６に紙幣を集積すると、現在取引内のスタッカ側未確定枚数をスタッカ側未確定カウンタ６１に加算登録する（ステップＳ２２）。尚、スタッカ側紙幣集計部３１Ａは、スタッカ１６に紙幣を集積する度に、スタッカ側未確定枚数としてスタッカ側未確定カウンタ６１に＋１インクリメントするものである。【０１３５】
制御部１００は、現在取引内のスタッカ側未確定確定枚数をスタッカ側未確定カウンタ６１に加算登録すると、紙幣抜取検出部３１Ｂを通じて紙幣抜取を検出したか否かを判定する（ステップＳ２３）。【０１３６】
仮確定部１０１は、紙幣抜取を検出した場合（ステップＳ２３肯定）、紙幣抜取のスタッカ１６の紙幣集積枚数が所定枚数に到達したか否かを判定する（ステップＳ２３Ａ）。仮確定部１０１は、紙幣抜取のスタッカ１６の紙幣集積枚数が所定枚数に到達した場合（ステップＳ２３Ａ肯定）、現在取引内の紙幣抜取タイミング時点又は所定枚数到達タイミング時点の各スタッカ側未確定カウンタ６１に登録中のスタッカ側未確定枚数をスタッカ対応金種の紙幣入金枚数として仮確定し、そのスタッカ側未確定枚数をスタッカ側仮確定枚数としてスタッカ側仮確定カウンタ６２に加算登録し（ステップＳ２４）、現在取引の取引完了操作を検出したか否かを判定すべく、ステップＳ１１に移行する。尚、制御部１００は、スタッカ側未確定枚数をスタッカ側仮確定枚数としてスタッカ側仮確定カウンタ６２に加算登録した場合、そのスタッカ側未確定カウンタ６１に登録中のスタッカ側未確定枚数から加算登録枚数分を減じることになる。【０１３７】
また、制御部１００内部の確定部１０２は、現在取引の取引完了操作を検出した場合（ステップＳ１１肯定）、現在取引内の結束側仮確定カウンタ７２に登録中の結束側仮確定枚数及び結束側未確定カウンタ７１に登録中の結束側未確定枚数の加算結果を特定金種の紙幣入金枚数として確定し、その加算結果を現在取引内の結束側確定枚数として結束側確定カウンタ７３に登録する（ステップＳ２６）。【０１３８】
さらに、確定部１０２は、現在取引内の結束側確定枚数を結束側累計枚数として結束側累計カウンタ７４に加算登録する（ステップＳ２７）。【０１３９】
さらに、確定部１０２は、現在取引内の各スタッカ１６のスタッカ側仮確定カウンタ６２に登録中のスタッカ側仮確定枚数及びスタッカ側未確定カウンタ６１に登録中のスタッカ側未確定枚数の加算結果をスタッカ対応金種の紙幣入金枚数として確定し、その加算結果を現在取引内のスタッカ側確定枚数としてスタッカ側確定カウンタ６３に登録する（ステップＳ２８）。【０１４０】
さらに、確定部１０２は、現在取引内のスタッカ側確定枚数をスタッカ側累計枚数としてスタッカ側累計カウンタ６４に加算登録する（ステップＳ２９）。【０１４１】
確定部１０２は、結束対象紙幣集積部２１に集積中の紙幣集積枚数を前回端数として結束側前回端数カウンタ７５に登録すると共に、スタッカ側の紙幣集積枚数を前回端数としてスタッカ側前回端数カウンタ６５に登録する（ステップＳ３０）。【０１４２】
確定部１０２は、結束側仮確定カウンタ７２の結束側仮確定枚数、結束側未確定カウンタ７１の結束側未確定枚数、スタッカ側仮確定カウンタ６２のスタッカ側仮確定枚数及びスタッカ側未確定カウンタ６１のスタッカ側未確定枚数をクリアし（ステップＳ３１）、この現在取引を完了し、図３に示す処理動作を終了する。【０１４３】
また、制御部１００は、ステップＳ１２にて紙幣を検出しなかった場合（ステップＳ１２否定）、取引完了操作を検出したか否かを判定すべく、ステップＳ１１に移行する。【０１４４】
また、制御部１００は、ステップＳ１６にて結束対象紙幣集積部２１に集積中の紙幣の集積枚数が所定枚数に到達しなかった場合（ステップＳ１６否定）、取引完了操作を検出したか否かを判定すべく、ステップＳ１１に移行する。【０１４５】
また、制御部１００は、ステップＳ２３にて紙幣抜取を検出しなかった場合（ステップＳ２３否定）、取引完了操作を検出したか否かを判定すべく、ステップＳ１１に移行する。【０１４６】
また、制御部１００は、ステップＳ２０にて紙幣がスタッカ対応の金種でない場合（ステップＳ２０否定）、その紙幣をリジェクト部１７に搬送し（ステップＳ３２）、ステップＳ１１に移行する。【０１４７】
また、制御部１００は、ステップＳ２３Ａにて紙幣抜取のスタッカ１６の紙幣集積枚数が所定枚数に到達しなかった場合（ステップＳ２３Ａ否定）、抜取時の当該スタッカ１６の未確定枚数をクリアし（ステップＳ３３）、ステップＳ１１に移行する。【０１４８】
図３に示す入金紙幣分類集積処理では、紙幣結束部２２の紙幣結束タイミング時点の現在取引内の結束側未確定カウンタ７１に登録中の結束側未確定枚数を特定金種の紙幣入金枚数として仮確定し、その結束側未確定枚数を結束側仮確定枚数として結束側仮確定カウンタ７２に加算登録する。つまり、紙幣結束タイミング時点の現在取引内の特定金種の紙幣入金を仮確定することで、その後の作業負担を軽減することができる。【０１４９】
入金紙幣分類集積処理では、スタッカ１６内の紙幣抜取を検出した場合又は紙幣抜取スタッカ１６内の紙幣集積枚数が所定枚数に到達した場合、現在取引内の紙幣抜取タイミング時点又は所定枚数到達タイミング時点の各スタッカ側未確定カウンタ６１に登録中のスタッカ側未確定枚数をスタッカ対応金種の紙幣入金枚数として仮確定し、そのスタッカ側未確定枚数をスタッカ側仮確定枚数としてスタッカ側仮確定カウンタ６２に加算登録する。つまり、紙幣抜取タイミング時点又は所定枚数到達タイミング時点の現在取引内のスタッカ対応金種の紙幣入金を仮確定することで、その後の作業負担を軽減することができる。【０１５０】
入金紙幣分類集積処理では、取引完了操作を検出した場合、現在取引内の仮確定の紙幣入金枚数及び未確定の紙幣入金枚数を現在取引の全紙幣入金枚数として確定すると共に、結束対象紙幣集積部２１に集積中の紙幣集積枚数を前回端数として登録管理すると共に、スタッカ１６に集積中の紙幣集積枚数を前回端数として登録管理するようにしたので、取引完了操作に応じて、結束する紙幣の内、現在取引及び前回取引の紙幣入金枚数の区分けは勿論のこと、現在取引内の全入金紙幣の紙幣入金枚数を確定することができる。【０１５１】
図４は、取引正常時に関わる結束対象紙幣集積部２１、結束側カウンタ部７０及び結束側表示部９０の状態遷移を端的に示す説明図である。【０１５２】
まず、第１回目の取引を開始する際、結束対象紙幣集積部２１内の紙幣集積枚数が“０”のため、結束側未確定カウンタ７１は“０”、結束側仮確定カウンタ７２は“０”、結束側累計カウンタ７４は“０”、結束側前回端数カウンタ７５は“０”、結束側取引中紙幣枚数表示部９１は“０”、結束側現在集積枚数表示部９２は“０”を表示することになる（ステータス１）。【０１５３】
次に、１００枚分の特定金種を結束対象紙幣集積部２１内に集積した場合、結束対象紙幣集積部２１内の紙幣集積枚数が“１００”のため、結束側未確定カウンタ７１は“１００”、結束側仮確定カウンタ７２は“０”、結束側累計カウンタ７４は“０”、結束側前回端数カウンタ７５は“０”、結束側取引中紙幣枚数表示部９１は“１００”、結束側現在集積枚数表示部９２は“１００”を表示することになる（ステータス２）。  【０１５４】
次に、結束対象紙幣集積部２１に集積中の１００枚分の特定金種を紙幣結束部２２に搬送して１００枚分紙幣を結束した場合、結束対象紙幣集積部２１内の紙幣集積枚数が“０”のため、結束側未確定カウンタ７１は“０”、結束側累計カウンタ７４は“０”、結束側前回端数カウンタ７５は“０”、結束側仮確定カウンタ７２は“１００”、 結束側現在集積枚数表示部９２は“０”、結束側取引中紙幣枚数表示部９１は“１００”を表示することになる（ステータス３）。【０１５５】
次に、７０枚分の特定金種を結束対象紙幣集積部２１内に集積した場合、結束対象紙幣集積部２１内の紙幣集積枚数が“７０”のため、結束側未確定カウンタ７１は“７０”、結束側仮確定カウンタ７２は“１００”、結束側累計カウンタ７４は“０”、結束側前回端数カウンタ７５は“０”、結束側取引中紙幣枚数表示部９１は“１７０”、結束側現在集積枚数表示部９２は“７０”を表示することになる（ステータス４）。【０１５６】
次に、取引完了操作を検出した場合、現在取引完了のため、結束対象紙幣集積部２１内の紙幣集積枚数が“７０”のため、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“７０”を表示することになる（ステータス５）。【０１５７】
次に、次取引を開始する際、前回取引のステータス５の状態を継続する（ステータス６）。【０１５８】
次に、３０枚分の特定金種を結束対象紙幣集積部２１内に集積した場合、結束対象紙幣集積部２１内の紙幣集積枚数が“１００”のため、結束側未確定カウンタ７１は“３０”、結束側仮確定カウンタ７２は“０”、結束側累計カウンタ７４は“１７０”、結束側前回端数カウンタ７５は“７０”、結束側取引中紙幣枚数表示部９１は“３０”、結束側現在集積枚数表示部９２は“１００”を表示することになる（ステータス７）。【０１５９】
次に、結束対象紙幣集積部２１に集積中の１００枚分の特定金種を紙幣結束部２２に搬送して１００枚分紙幣を結束する場合、結束対象紙幣集積部２１内の紙幣集積枚数が“０”のため、結束側未確定カウンタ７１は“０”、結束側仮確定カウンタ７２は“３０”、結束側前回端数カウンタ７５は“７０”、結束側累計カウンタ７４は“１７０”、結束側取引中紙幣枚数表示部９１は“３０”、結束側現在集積枚数表示部９２は“０”を表示することになる（ステータス８）。【０１６０】
次に、６０枚分の特定金種を結束対象紙幣集積部２１内に集積した場合、結束対象紙幣集積部２１内の紙幣集積枚数が“６０”のため、結束側未確定カウンタ７１は“６０”、結束側仮確定カウンタ７２は“３０”、結束側累計カウンタ７４は“１７０”、結束側前回端数カウンタ７５は“７０”、結束側取引中紙幣枚数表示部９１は“９０”、結束側現在集積枚数表示部９２は“６０”を表示することになる（ステータス９）。【０１６１】
次に、取引完了操作を検出した場合、現在取引完了のため、結束対象紙幣集積部２１内の紙幣集積枚数が“６０”のため、結束側未確定カウンタ７１は“０”、結束側仮確定カウンタ７２は“０”、結束側累計カウンタ７４は“２６０”、結束側前回端数カウンタ７５は“６０”、結束側取引中紙幣枚数表示部９１は“０”、結束側現在集積枚数表示部９２は“６０”を表示することになる（ステータス１０）。このように取引正常時においては、取引単位毎に順次ステータスを遷移することになる。【０１６２】
図５は、紙幣入金処理装置１の障害復旧処理に関わる制御部１００の処理動作を示すフローチャートである。【０１６３】
図５に示す障害復旧処理は、紙幣入金処理装置１内部のジャム等の障害が発生した場合、その障害解消後、現在取引内の結束済み紙幣を解体することなく、現在取引内の直前の仮確定時点若しくは現在取引開始時点の紙幣集積状態に戻す処理である。【０１６４】
オペレータは、紙幣入金処理装置１内のジャム等の障害が発生した場合、その障害解消作業後、紙幣入金処理装置１内の結束済み紙幣を除く、全紙幣を回収した後、これら回収紙幣をホッパ部１１に再投入する。【０１６５】
図５に示す制御部１００は、回収紙幣をホッパ部１１に再投入後、障害復旧キー５３のキー操作を検出したか否かを判定する（ステップＳ４１）。【０１６６】
制御部１００内部の障害復旧処理部１０４は、障害復旧キー５３のキー操作を検出した場合（ステップＳ４１肯定）、仮確定判定部１０３にて現在取引内に仮確定が存在するか否かを判定する（ステップＳ４２）。【０１６７】
障害復旧処理部１０４は、現在取引内に仮確定が存在する場合（ステップＳ４２肯定）、その仮確定は紙幣結束タイミングによる仮確定であるか否かを判定する（ステップＳ４３）。【０１６８】
障害復旧処理部１０４は、その仮確定は紙幣結束タイミングによる仮確定の場合（ステップＳ４３肯定）、結束側未確定カウンタ７１の結束側未確定枚数及びスタッカ側未確定カウンタ６１のスタッカ側未確定枚数をクリアし（ステップＳ４４）、ホッパ部１１に投入した回収紙幣に対する分類集積動作を開始する（ステップＳ４５）。【０１６９】
その結果、制御部１００は、回収紙幣の集積分類動作の開始に応じて、回収紙幣を順次金種識別し、この紙幣金種に応じて結束対象紙幣集積部２１、スタッカ１６又はリジェクト部１７に搬送することになる。【０１７０】
障害復旧処理部１０４は、現在取引内で仮確定のないスタッカ１６の集積枚数が前回端数に到達したか否かを判定する（ステップＳ４６）。【０１７１】
障害復旧処理部１０４は、現在取引内で仮確定のないスタッカ１６の集積枚数が前回端数に到達した場合（ステップＳ４６肯定）、図５に示す処理動作を終了する。【０１７２】
また、障害復旧処理部１０４は、現在取引内で仮確定のないスタッカ１６の集積枚数が前回端数に到達していない場合（ステップＳ４６否定）、その集積枚数が加算結果に到達するまでステップＳ４６の監視処理を継続する。【０１７３】
その結果、結束対象紙幣集積部２１及び各スタッカ１６では、紙幣結束タイミングによる直前仮確定時点での紙幣の集積状態に戻すことができる。【０１７４】
また、障害復旧処理部１０４は、その仮確定は紙幣結束タイミングによる仮確定でない場合（ステップＳ４３否定）、その仮確定は所定枚数での紙幣抜取タイミング又は所定枚数到達タイミングによる仮確定と判断し（ステップＳ４７）、結束側未確定カウンタ７１の結束側未確定枚数及びスタッカ側未確定カウンタ６１のスタッカ側未確定枚数をクリアし（ステップＳ４８）、ホッパ部１１に投入した回収紙幣に対する分類集積動作を開始する（ステップＳ４９）。【０１７５】
障害復旧処理部１０４は、結束対象紙幣集積部２１に集積中の紙幣の集積枚数が前回端数に到達及び、現在取引内で仮確定のないスタッカ１６の集積枚数が前回端数に到達したか否かを判定する（ステップＳ５０）。【０１７６】
障害復旧処理部１０４は、結束対象紙幣集積部２１に集積中の紙幣の集積枚数が前回端数に到達及び、現在取引内で仮確定のないスタッカ１６の集積枚数が前回端数に到達した場合（ステップＳ５０肯定）、図５に示す処理動作を終了する。その結果、結束対象紙幣集積部２１及び各スタッカ１６では、所定枚数での紙幣抜取タイミング又は所定枚数到達タイミングによる直前仮確定時点の紙幣の集積状態に戻すことができる。【０１７７】
また、障害復旧処理部１０４は、結束対象紙幣集積部２１に集積中の紙幣の集積枚数が前回端数に到達していない、又は、現在取引内で仮確定のないスタッカ１６の集積枚数が前回端数に到達していない場合（ステップＳ５０否定）、その集積枚数が特定枚数に到達するまでステップＳ５０の監視処理を継続する。【０１７８】
また、障害復旧処理部１０４は、現在取引内に仮確定が存在しない場合（ステップＳ４２否定）、結束側未確定カウンタ７１の結束側未確定枚数及びスタッカ側未確定カウンタ６１のスタッカ側未確定枚数をクリアし（ステップＳ５１）、ホッパ部１１に投入した回収紙幣に対する分類集積動作を開始する（ステップＳ５２）。【０１７９】
障害復旧処理部１０４は、結束対象紙幣集積部２１に集積中の紙幣の集積枚数が前回端数に到達及び、各スタッカ１６に集積中の紙幣の集積枚数が前回端数に到達したか否かを判定する（ステップＳ５３）。【０１８０】
障害復旧処理部１０４は、結束対象紙幣集積部２１に集積中の紙幣の集積枚数が前回端数に到達及び、各スタッカ１６に集積中の紙幣の集積枚数が前回端数に到達した場合（ステップＳ５３肯定）、図５に示す処理動作を終了する。その結果、結束対象紙幣集積部２１及び各スタッカ１６では、現在取引開始時点の紙幣の集積状態に戻ったことになる。【０１８１】
また、障害復旧処理部１０４は、結束対象紙幣集積部２１に集積中の紙幣の集積枚数が前回端数に到達していない、又は、各スタッカ１６に集積中の紙幣の集積枚数が前回端数に到達していない場合（ステップＳ５３否定）、その集積枚数が特定枚数に到達するまでステップＳ５３の監視処理を継続する。【０１８２】
また、制御部１００は、ステップＳ４１にて障害復旧キー５３の操作を検出しなかった場合（ステップＳ４１否定）、図５に示す処理動作を終了する。【０１８３】
図５に示す障害復旧処理では、障害が発生した場合、その障害解消後、現在取引内の直前の仮確定が紙幣結束タイミングの仮確定の場合、ホッパ部１１に投入した回収紙幣に対する分類集積動作を開始し、仮確定のないスタッカ１６に集積中の紙幣集積枚数がスタッカ側前回端数枚数カウンタ６５に登録中の前回端数に到達した場合、現在取引内で結束済み紙幣が存在するとしても、この結束済み紙幣を解体することなく、結束済み紙幣を除く、本装置内の全紙幣をホッパ部１１に再投入するだけで、現在取引内の直前の仮確定時点の紙幣集積状態に戻すことができる。【０１８４】
障害復旧処理では、障害が発生した場合、その障害解消後、現在取引内の直前の仮確定が所定枚数での紙幣抜取タイミング又は所定枚数到達タイミングの仮確定の場合、ホッパ部１１に投入した回収紙幣に対する分類集積動作を開始し、結束対象紙幣集積部２１に集積中の紙幣の集積枚数が前回端数に到達及び、現在取引内で仮確定のないスタッカ１６の集積枚数が前回端数に到達した場合、現在取引内で結束済み紙幣が存在するとしても、この結束済み紙幣を解体することなく、結束済み紙幣及びスタッカ１６からの抜取済み紙幣を除く、本装置内の全紙幣をホッパ部１１に再投入するだけで、現在取引内の直前の仮確定時点の紙幣集積状態に戻すことができる。【０１８５】
障害復旧処理では、障害が発生した場合、その障害解消後、現在取引内の仮確定が存在しない場合、ホッパ部１１に投入した回収紙幣に対する分類集積動作を開始し、結束対象紙幣集積部２１に集積中の紙幣の集積枚数が前回端数に到達及び、各スタッカ１６に集積中の紙幣の集積枚数が前回端数に到達した場合、本装置内の全紙幣をホッパ部１１に再投入するだけで、現在取引開始時点の紙幣の集積状態に戻すことができる。【０１８６】
図６は、障害復旧時に関わる結束対象紙幣集積部２１、結束側カウンタ部７０及び結束側表示部９０の状態遷移を端的に示す説明図である。【０１８７】
図６において次取引を開始する際、結束対象紙幣集積部２１内の紙幣集積枚数が“７０”のため、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“７０”を表示することになる（ステータス１１）。【０１８８】
次に、１０枚分の特定金種を結束対象紙幣集積部２１内に集積した場合、結束対象紙幣集積部２１内の紙幣集積枚数が“８０”のため、結束側未確定カウンタ７１は“１０”、結束側仮確定カウンタ７２は“０”、結束側累計カウンタ７４は“１７０”、結束側前回端数カウンタ７５は“７０”、結束側取引中紙幣枚数表示部９１は“１０”、結束側現在集積枚数表示部９２は“８０”を表示することになる（ステータス１２）。【０１８９】
次に、ステータス１２の状態で障害が発生した場合、結束対象紙幣集積部２１内の紙幣集積枚数が“８０”であるものの、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“１０”、結束側現在集積枚数表示部９２は“――――”を表示することになる（ステータス１３）。尚、障害解消及び紙幣回収待ちの状態である。【０１９０】
次に、障害解消及び紙幣回収後、これら回収紙幣をホッパ部１１に再投入後、障害復旧操作を検出した場合、結束対象紙幣集積部２１内の紙幣集積枚数が“０”のため、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−７０”を表示することになる（ステータス１４）。そして、ホッパ部１１に投入した回収紙幣に対する分類集積動作を開始することになる。【０１９１】
次に、回収紙幣に対する分類集積動作開始後、結束対象紙幣集積部２１内の紙幣集積枚数が“１”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−６９”を表示することになる（ステータス１５）。尚、回収紙幣に対する分類集積動作を順次継続する。【０１９２】
次に、結束対象紙幣集積部２１内の紙幣集積枚数が“６９”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−１”を表示することになる（ステータス１６）。【０１９３】
次に、結束対象紙幣集積部２１内の紙幣集積枚数が“７０”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“７０”を表示することになる（ステータス１７）。尚、前回取引直後の紙幣集積状態に戻ったことになる。【０１９４】
次に、結束対象紙幣集積部２１内の紙幣集積枚数が“７１”になると、結束側未確定カウンタ７１は“１”、結束側仮確定カウンタ７２は“０”、結束側累計カウンタ７４は“１７０”、結束側前回端数カウンタ７５は“７０”、結束側取引中紙幣枚数表示部９１は“１”、結束側現在集積枚数表示部９２は“７１”を表示することになる（ステータス１８）。【０１９５】
次に、結束対象紙幣集積部２１内の紙幣集積枚数が“８０”になると、結束側未確定カウンタ７１は“１０”、結束側仮確定カウンタ７２は“０”、結束側累計カウンタ７４は“１７０”、結束側前回端数カウンタ７５は“７０”、結束側取引中紙幣枚数表示部９１は“１０”、結束側現在集積枚数表示部９２は“８０”を表示することになる（ステータス１９）。【０１９６】
次に、取引完了操作を検出した場合、結束対象紙幣集積部２１内の紙幣集積枚数が“８０”のため、結束側未確定カウンタ７１は“０”、結束側仮確定カウンタ７２は“０”、結束側累計カウンタ７４は“１８０”、結束側前回端数カウンタ７５は“８０”、結束側取引中紙幣枚数表示部９１は“０”、結束側現在集積枚数表示部９２は“８０”を表示することになる（ステータス２０）。【０１９７】
図７は、紙幣入金処理装置１の取引キャンセル処理に関わる制御部１００の処理動作を示すフローチャートである。【０１９８】
図７に示す取引キャンセル処理は、現在取引をキャンセルして、現在取引中の全入金紙幣を返却するための処理である。【０１９９】
制御部１００は、キャンセルキー５２の取引キャンセル操作を検出したか否かを判定する（ステップＳ６１）。【０２００】
制御部１００内部の取引キャンセル処理部１０５は、キャンセルキー５２の取引キャンセル操作を検出した場合（ステップＳ６１肯定）、現在取引内の結束側仮確定カウンタ７２の結束側仮確定枚数に基づき、現在取引分の紙幣を含む結束済み紙幣があるか否かを判定する（ステップＳ６２）。【０２０１】
取引キャンセル処理部１０５は、現在取引分の紙幣を含む結束済み紙幣がある場合（ステップＳ６２肯定）、結束側仮確定枚数に基づき、現在取引に関わる解体すべき結束済み紙幣の束数を情報表示部８３にガイダンス表示する（ステップＳ６３）。尚、オペレータは、情報表示部８３に表示中の束数に基づき、その束数分の結束済み紙幣を結束済み紙幣集積部２５から回収し、その束数分の結束済み紙幣を解体するものである。【０２０２】
また、取引キャンセル処理部１０５は、現在取引分の紙幣を含む結束済み紙幣がない場合（ステップＳ６２否定）、現在取引内の解体すべき結束済み紙幣の束数なしを情報表示部８３にガイダンス表示する（ステップＳ６４）。【０２０３】
取引キャンセル処理部１０５は、ステップＳ６３又はステップＳ６４にて情報表示部８３にガイダンス表示した後、結束側未確定カウンタ７１の結束側未確定枚数、結束側仮確定カウンタ７２の結束側仮確定枚数、スタッカ側未確定カウンタ６１のスタッカ側未確定枚数及びスタッカ側仮確定カウンタ６２のスタッカ側仮確定枚数をクリアする（ステップＳ６５）。【０２０４】
オペレータは、ステップＳ６３のガイダンス表示に基づき解体した全紙幣、結束対象紙幣集積部２１に集積中の未確定枚数分の全紙幣、各スタッカ１６に集積中の全紙幣を回収し、これら回収紙幣をホッパ部１１に再投入することになる。【０２０５】
取引キャンセル処理部１０５は、ホッパ部１１に対する回収紙幣の再投入を検出すると（ステップＳ６６）、ホッパ部１１に投入した回収紙幣の分類集積動作を開始する（ステップＳ６７）。【０２０６】
取引キャンセル処理部１０５は、結束対象紙幣集積部２１に集積中の紙幣の集積枚数が結束側前回端数カウンタ７５に登録中の前回端数に到達及び、各スタッカ１６に集積中の紙幣の集積枚数が前回端数に到達したか否かを判定する（ステップＳ６８）。【０２０７】
取引キャンセル処理部１０５は、結束対象紙幣集積部２１に集積中の紙幣の集積枚数が前回端数に到達及び、各スタッカ１６に集積中の紙幣の集積枚数が前回端数に到達した場合（ステップＳ６８肯定）、図７に示す処理動作を終了する。その結果、結束対象紙幣集積部２１及び各スタッカ１６では、現在取引開始直前の紙幣の集積状態に戻ったことになる。【０２０８】
また、取引キャンセル処理部１０５は、結束対象紙幣集積部２１に集積中の紙幣の集積枚数が前回端数に到達していない、又は、各スタッカ１６に集積中の紙幣の集積枚数が前回端数に到達していない場合（ステップＳ６８否定）、その集積枚数が特定枚数に到達するまでステップＳ６８の監視処理を継続する。【０２０９】
取引キャンセル処理部１０５は、結束対象紙幣集積部２１に集積中の紙幣の集積枚数が前回端数に到達及び、各スタッカ１６に集積中の紙幣の集積枚数が前回端数に到達するまで、全回収紙幣を順次分類集積することになるが、既に結束側未確定枚数に到達した結束対象紙幣集積部２１に分類する特定金種紙幣や、既に前回取引のスタッカ側累計枚数に到達したスタッカ１６に分類する金種紙幣を検出したとしても、その結束対象紙幣集積部２１やスタッカ１６への紙幣の分類集積を実行することなく、その紙幣をリジェクト部１７にリジェクトすることになる。【０２１０】
その結果、結束対象紙幣集積部２１及び各スタッカ１６では、現在取引開始直前の紙幣の集積状態に戻すと共に、現在取引開始後の投入紙幣をリジェクト部１７から回収することができる。【０２１１】
図７に示す取引キャンセル処理では、取引キャンセル操作を検出した場合、現在取引内の結束側仮確定カウンタ７２の結束側仮確定枚数に基づき、現在取引分の紙幣を含む結束済み紙幣がある場合、現在取引に関わる解体すべき結束済み紙幣の束数を情報表示部８３にガイダンス表示するようにしたので、オペレータは、情報表示部８３に表示中の束数に基づき、その束数分の結束済み紙幣を結束済み紙幣集積部２５から回収し、その束数分の結束済み紙幣を解体することができる。【０２１２】
取引キャンセル処理では、回収紙幣をホッパ部１１に投入後、その回収紙幣に対する分類集積動作を開始し、結束対象紙幣集積部２１に集積中の紙幣の集積枚数が前回端数に到達及び、各スタッカ１６に集積中の紙幣の集積枚数が前回端数に到達するまで、全回収紙幣を順次分類集積することになるが、既に結束側前回端数に到達した結束対象紙幣集積部２１に分類する特定金種紙幣や、既にスタッカ側前回端数に到達したスタッカ１６に分類する金種紙幣を検出した場合、その結束対象紙幣集積部２１やスタッカ１６への紙幣の分類集積を実行することなく、その紙幣をリジェクト部１７にリジェクトするようにした。その結果、結束対象紙幣集積部２１及び各スタッカ１６では、現在取引開始直前の紙幣の集積状態に戻すことができると共に、現在取引の投入紙幣をリジェクト部１７から回収することができる。【０２１３】
図８は、取引キャンセル時に関わる結束対象紙幣集積部２０、結束側カウンタ部８０及び結束側表示部９０の状態遷移を端的に示す説明図である。【０２１４】
図８において次取引を開始する際、結束対象紙幣集積部２１内の紙幣集積枚数が“７０”のため、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“７０”を表示することになる（ステータス３１）。【０２１５】
次に、３０枚分の特定金種を結束対象紙幣集積部２１内に集積した場合、結束対象紙幣集積部２１内の紙幣集積枚数が“１００”のため、結束側未確定カウンタ７１は“３０”、結束側仮確定カウンタ７２は“０”、結束側累計カウンタ７４は“１７０”、結束側前回端数カウンタ７５は“７０”、結束側取引中紙幣枚数表示部９１は“３０”、結束側現在集積枚数表示部９２は“１００”を表示することになる（ステータス３２）。【０２１６】
次に、結束対象紙幣集積部２１に集積中の１００枚分の特定金種を紙幣結束部２２に搬送して１００枚分紙幣を結束する場合、結束対象紙幣集積部２１内の紙幣集積枚数が“０”のため、結束側未確定カウンタ７１は“０”、結束側仮確定カウンタ７２は“３０”、結束側前回端数カウンタ７５は“７０”、結束側累計カウンタ７４は“１７０”、結束側取引中紙幣枚数表示部９１は“３０”、結束側現在集積枚数表示部９２は“０”を表示することになる（ステータス３２Ａ）。【０２１７】
次に、ステータス３２Ａの状態で取引キャンセル処理が実行した場合、結束対象紙幣集積部２１内の紙幣集積枚数が“０”、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−７０”を表示することになる（ステータス３３）。尚、オペレータは、表示ガイダンスに基づき、結束対象紙幣集積部２１に集積中の全紙幣を回収し、これら回収紙幣をホッパ部１１に投入し、回収紙幣に対する分類集積動作を開始することになる。【０２１８】
次に、回収紙幣に対する分類集積動作開始後、結束対象紙幣集積部２１内の紙幣集積枚数が“１”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−６９”を表示することになる（ステータス３４）。尚、回収紙幣に対する分類集積動作を順次継続する。【０２１９】
次に、結束対象紙幣集積部２１内の紙幣集積枚数が“６９”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“−１”を表示することになる（ステータス３５）。  【０２２０】
次に、結束対象紙幣集積部２１内の紙幣集積枚数が“７０”になると、結束側未確定カウンタ７１は“０”、結束側仮確定カウンタ７２は“０”、結束側累計カウンタ７４は“１７０”、結束側前回端数カウンタ７５は“７０”、結束側取引中紙幣枚数表示部９１は“０”、結束側現在集積枚数表示部９２は“７０”を表示することになる（ステータス３６）。尚、前回取引直後の紙幣集積状態に戻ったことになる。【０２２１】
本実施例では、結束対象の紙幣枚数を未確定の紙幣入金枚数として集計し、１００枚分の紙幣の結束タイミングに応じて、結束する紙幣の内、現在取引内の未確定の紙幣入金枚数を仮確定するようにしたので、１００枚分の紙幣を結束する紙幣結束機能を追加したとしても、結束済み紙幣における取引区分の取扱性を良好にできると共に、例えば、現在取引内の障害復旧に際しても、現在取引及び前回取引の全紙幣をホッパ部１１に再投入するのではなく、現在取引内に結束済み紙幣があったとしても、その結束済み紙幣を解体することなく、未確定の紙幣をホッパ部１１に再投入するだけで済むことになるため、その作業負担を大幅に改善することができる。【０２２２】
本実施例では、取引完了操作を検出すると、現在取引内の仮確定の紙幣入金枚数及び未確定の紙幣入金枚数を現在取引の全紙幣入金枚数として確定すると共に、結束対象紙幣集積部２１に集積中の紙幣集積枚数を前回端数として登録管理するようにしたので、紙幣結束機能を追加したとしても、取引完了操作に応じて、結束する紙幣の内、現在取引及び前回取引の紙幣入金枚数の区分けは勿論のこと、現在取引内の全入金紙幣の紙幣入金枚数を確定することができる。【０２２３】
本実施例では、スタッカ１６に分類集積した紙幣の抜取を検出した場合、所定枚数での紙幣抜取タイミング又は所定枚数到達タイミングで現在取引内のスタッカ１６の未確定の紙幣入金枚数及び結束対象紙幣集積部２１の未確定の紙幣入金枚数を仮確定するようにしたので、スタッカ１６と連動したとしても、結束済み紙幣における取引区分の取扱性を良好にできると共に、例えば、現在取引内の障害復旧に際しても、現在取引及び前回取引の全紙幣をホッパ部１１に再投入するのではなく、スタッカ１６に集積中の全紙幣の他に、現在取引の結束対象紙幣集積部２１の未確定の紙幣をホッパ部１１に再投入するだけで済むことになるため、その作業負担を大幅に改善することができる。【０２２４】
本実施例では、取引完了操作を検出すると、現在取引内の結束対象紙幣集積部２１の仮確定の紙幣入金枚数及び未確定の紙幣入金枚数を現在取引内の結束対象紙幣集積部２１の全紙幣入金枚数として確定すると共に、現在取引内のスタッカ１６の仮確定の紙幣入金枚数及び未確定の紙幣入金枚数を現在取引内のスタッカ１６の全紙幣入金枚数として確定すると共に、結束対象紙幣集積部２１に集積中の紙幣集積枚数を結束対象紙幣集積部２１の前回端数として登録管理するようにしたので、スタッカ１６と連動したとしても、取引完了操作に応じて、結束する紙幣の内、現在取引及び前回取引の紙幣入金枚数の区分けは勿論のこと、現在取引内の全紙幣の紙幣入金枚数を確定することができる。【０２２５】
本実施例では、現在取引内で障害復旧操作を検出し、現在取引内に仮確定が存在した場合、現在取引内の結束対象紙幣集積部２１及びスタッカ１６の未確定の紙幣入金枚数をクリアすると共に、結束済み紙幣を除く、本装置内の紙幣をホッパ部１１に再投入した後、このホッパ部１１に再投入した紙幣を再搬送するようにしたので、スタッカ１６と連動したとしても、現在取引内で結束済み紙幣が存在する場合、この結束済み紙幣を解体することなく、結束済み紙幣を除く、本装置内の全紙幣をホッパ部１１に再投入するだけで、現在取引内の直前の仮確定時点の紙幣集積状態に戻すことができる。【０２２６】
本実施例では、現在取引内に障害復旧操作を検出し、現在取引内に仮確定が存在しない場合、現在取引内の結束対象紙幣集積部２１及びスタッカ１６の未確定の紙幣入金枚数をクリアすると共に、本装置内の全紙幣をホッパ部１１に再投入した後、登録管理中の現在取引直前の前回端数分の紙幣を結束対象紙幣集積部２１に残すべく、このホッパ部１１に再投入した紙幣を再搬送するようにしたので、スタッカ１６と連動したとしても、現在取引内で結束済み紙幣が存在しない場合、本装置内の全紙幣をホッパ部１１に再投入するだけで、現在取引開始直前の紙幣集積状態に戻すことができる。【０２２７】
本実施例では、現在取引のキャンセル操作を検出した場合、現在取引内の結束対象紙幣集積部２１及びスタッカ１６の仮確定の紙幣入金枚数及び未確定の紙幣入金枚数をクリアすると共に、スタッカ１６に集積中の全紙幣の他に、現在取引内の紙幣を含む結束済み紙幣及び／又は未確定の紙幣入金枚数分の紙幣をホッパ部１１に再投入した後、現在取引内の結束対象紙幣集積部２１及びスタッカ１６の仮確定及び未確定の紙幣を本装置からリジェクトしながら、確定部１０２にて登録管理中の現在取引直前の前回端数分の紙幣を結束対象紙幣集積部２１に残すべく、このホッパ部１１に再投入した紙幣を再搬送するようにしたので、スタッカ１６と連動したとしても、現在取引中の全ての紙幣入金取引をキャンセルすることができる。【０２２８】
本実施例では、現在取引のキャンセル操作を検出した場合、現在取引内の全ての結束済み紙幣の束数をガイダンス表示するようにしたので、オペレータは、そのガイダンス表示を目視することで、現在取引キャンセルに伴う解体すべき、現在取引の全結束済み紙幣の束数を認識することができる。【０２２９】
尚、本実施例では、制御部１００を紙幣入金処理装置１内部に設けるようにしたが、紙幣入金処理装置１内の紙幣処理装置２内部又は紙幣結束装置３内部の何れに設けるようにしても良い。【０２３０】
本実施例では、紙幣結束部２２にて所定枚数分の紙幣を結束した紙幣結束タイミングに応じて、結束する紙幣の内、現在取引内の未確定の紙幣入金枚数を仮確定するようにしたが、結束対象紙幣集積部２１の紙幣集積枚数が所定枚数に到達したタイミングに応じて現在取引内の未確定の紙幣入金枚数を仮確定するようにしても良い。【０２３１】
また、本実施例では、結束対象紙幣集積部２１から紙幣束抜取部を通じて紙幣束を挟持したタイミングで現在取引内の未確定の紙幣入金枚数を仮確定するようにしても良い。【０２３２】
また、本実施例では、取引完了操作を検出すると、所定の設定により、確定部１０２が、結束対象紙幣集積部２１に集積した紙幣の抜取りを促し、前回端数をゼロとして登録管理するようにしても良く、この場合、所定の設定に応じて、取引毎に端数を抜き取ることができる。【０２３３】
以上、本実施例について説明したが、本実施例によって本発明の技術的思想の範囲が限定されるものではなく、請求の範囲に記載した技術的思想の範囲を逸脱しない限り、各種様々な実施の形態が実施可能であることは言うまでもない。また、本実施例に記載した効果は、これに限定されるものではない。【０２３４】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。【０２３５】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。【０２３６】
さらに、各装置で行われる各種処理機能は、ＣＰＵ（Central  Processing Unit）（又はＭＰＵ（Micro  Processing Unit）、ＭＣＵ（Micro Controller Unit）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【図１】
2010067421.tif 000003
【図２】
2010067421.tif 000004
【図３】
2010067421.tif 000005
【図４】
2010067421.tif 000006
【図５】
2010067421.tif 000007
【図６】
2010067421.tif 000008
【図７】
2010067421.tif 000009
【図８】
2010067421.tif 000010
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
連続した入金取引の入金紙幣枚数を取引単位で確定する紙幣入金処理装置であって、
紙幣を投入する投入部と、
この投入部にて投入した紙幣を一枚単位で繰出搬送する搬送部と、
この搬送部で順次搬送した紙幣の内、結束対象の特定金種の紙幣を順次分類集積する結束対象紙幣集積部と、
この結束対象紙幣集積部に分類集積した前記結束対象の紙幣枚数を未確定の紙幣入金枚数として集計する結束対象紙幣集計部と、
前記結束対象紙幣集積部に分類集積した前記結束対象の紙幣枚数が所定枚数に到達した場合、前記所定枚数分の結束対象の紙幣を結束する紙幣結束部と、
前記所定枚数分の紙幣の結束タイミングに応じて、結束する紙幣の内、現在取引内の前記未確定の紙幣入金枚数を仮確定する仮確定部と、
取引完了操作を検出すると、現在取引内の前記仮確定の紙幣入金枚数及び前記未確定の紙幣入金枚数を現在取引の全紙幣入金枚数として確定すると共に、前記結束対象紙幣集積部に集積中の紙幣集積枚数を前回端数として登録管理する確定部と
を有することを特徴とする紙幣入金処理装置。
【請求項２】
前記現在取引内で障害復旧操作を検出した場合、前記現在取引内に前記仮確定が存在するか否かを判定する仮確定判定部と、
前記現在取引内に前記仮確定が存在する場合、前記現在取引内の前記未確定の紙幣入金枚数をクリアすると共に、前記結束済み紙幣を除く、本装置内の全紙幣を前記投入部に再投入した後、この投入部に再投入した紙幣を再搬送する前記搬送部を駆動制御する制御部と
を有することを特徴とする請求項１記載の紙幣入金処理装置。
【請求項３】
前記制御部は、
前記仮確定判定部にて前記現在取引内に前記仮確定が存在しない場合、前記現在取引内の前記未確定の紙幣入金枚数をクリアすると共に、本装置内の全紙幣を前記投入部に再投入した後、前記確定部にて登録管理中の前記現在取引直前の前回端数分の紙幣を前記結束対象紙幣集積部に残すべく、この投入部に再投入した紙幣を再搬送する前記搬送部を駆動制御することを特徴とする請求項２記載の紙幣入金処理装置。
【請求項４】
前記現在取引のキャンセル操作を検出した場合、前記現在取引内の前記仮確定の紙幣入金枚数及び前記未確定の紙幣入金枚数をクリアすると共に、前記現在取引内の紙幣を含む結束済み紙幣及び／又は未確定の紙幣入金枚数分の紙幣を前記投入部に再投入した後、前記現在取引内の前記仮確定及び前記未確定の紙幣を本装置からリジェクトしながら、前記確定部にて登録管理中の前記現在取引直前の前回端数分の紙幣を前記結束対象紙幣集積部に残すべく、この投入部に再投入した紙幣を再搬送する前記搬送部を駆動制御する制御部を有することを特徴とする請求項１記載の紙幣入金処理装置。
【請求項５】
前記現在取引のキャンセル操作を検出した場合、前記現在取引内の全ての結束済み紙幣の束数をガイダンス表示する表示部を有することを特徴とする請求項４記載の紙幣入金処理装置。
【請求項６】
前記結束タイミングは、
前記紙幣結束部にて前記所定枚数分の紙幣を結束したタイミングに相当することを特徴とする請求項１記載の紙幣入金処理装置。
【請求項７】
前記結束タイミングは、
前記結束対象紙幣集積部に分類集積した前記結束対象の紙幣枚数が所定枚数に到達したタイミングに相当することを特徴とする請求項１記載の紙幣入金処理装置。
【請求項８】
前記確定部は、
取引完了操作を検出すると、所定の設定により、前記結束対象紙幣集積部に集積した紙幣の抜取りを促し、前記前回端数をゼロとして登録管理することを特徴とする請求項１記載の紙幣入金処理装置。
【請求項９】
前記搬送部にて搬送した紙幣を前記特定金種以外の金種に応じて分類集積する分類紙幣集積部と、
この分類紙幣集積部に分類集積した前記金種毎の未確定の紙幣枚数として集計する分類紙幣集計部とを有し、
前記仮確定部は、
前記分類紙幣集積部に分類集積した所定枚数の紙幣の抜取を検出した場合、紙幣抜取タイミングで現在取引内の前記分類紙幣集積部の前記未確定の紙幣入金枚数を仮確定すると共に、
前記確定部は、
前記取引完了操作を検出すると、前記現在取引内の前記結束対象紙幣集積部の前記仮確定の紙幣入金枚数及び前記未確定の紙幣入金枚数を現在取引内の前記結束対象紙幣集積部の全紙幣入金枚数として確定すると共に、前記現在取引内の前記分類紙幣集積部の前記仮確定の紙幣入金枚数及び前記未確定の紙幣入金枚数を現在取引内の前記分類紙幣集積部の全紙幣入金枚数として確定すると共に、前記結束対象紙幣集積部に集積中の紙幣集積枚数を前記結束対象紙幣集積部の前回端数として登録管理すると共に、前記分類紙幣集積部に集積中の紙幣集積枚数を前記分類紙幣集積部の前回端数として登録管理することを特徴とする請求項１記載の紙幣入金処理装置。
【請求項１０】
前記現在取引内で障害復旧操作を検出した場合、前記現在取引内に前記仮確定が存在するか否かを判定する仮確定判定部と、
前記現在取引内に前記仮確定が存在する場合、前記現在取引内の前記結束対象紙幣集積部及び前記分類紙幣集積部の前記未確定の紙幣入金枚数をクリアすると共に、前記結束済み紙幣及び前記分類紙幣集積部からの前記抜取済み紙幣を除く、本装置内の全紙幣を前記投入部に再投入した後、この投入部に再投入した紙幣を再搬送する前記搬送部を駆動制御する制御部と
を有することを特徴とする請求項９記載の紙幣入金処理装置。
【請求項１１】
前記制御部は、
前記仮確定判定部にて前記現在取引内に前記仮確定が存在しない場合、前記現在取引内の前記結束対象紙幣集積部及び前記分類紙幣集積部の前記未確定の紙幣入金枚数をクリアすると共に、本装置内の全紙幣を前記投入部に再投入した後、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御することを特徴とする請求項１０記載の紙幣入金処理装置。
【請求項１２】
前記現在取引のキャンセル操作を検出した場合、前記現在取引内の前記結束対象紙幣集積部及び前記分類紙幣集積部の前記仮確定の紙幣入金枚数及び前記未確定の紙幣入金枚数をクリアすると共に、前記分類紙幣集積部に集積中の全紙幣の他に、本装置内の前記現在取引内の紙幣を含む全ての結束済み紙幣、前記分類紙幣集積部からの抜取済み紙幣、及び／又は、未確定の紙幣入金枚数分の紙幣を前記投入部に再投入した後、前記現在取引内の前記結束対象紙幣集積部及び前記分類紙幣集積部の前記仮確定及び前記未確定の紙幣を本装置からリジェクトしながら、前記確定部にて登録管理中の、前記現在取引直前の前記結束対象紙幣集積部の前回端数分の紙幣を前記結束対象紙幣集積部に残すべく、及び、前記現在取引直前の前記分類紙幣集積部の前回端数分の紙幣を当該分類紙幣集積部に残すべく、この投入部に再投入した紙幣を再搬送する前記搬送部を駆動制御する制御部を有することを特徴とする請求項９記載の紙幣入金処理装置。
【請求項１３】
前記現在取引のキャンセル操作を検出した場合、前記現在取引内の紙幣を含む全ての結束済み紙幣の束数をガイダンス表示する表示部を有することを特徴とする請求項１２記載の紙幣入金処理装置。
【請求項１４】
連続した入金取引の入金紙幣枚数を取引単位で確定する紙幣入金処理方法であって、
紙幣を投入する投入ステップと、
この投入ステップにて投入した紙幣を一枚単位で繰出搬送する搬送ステップと、
この搬送ステップで順次搬送した紙幣の内、結束対象の特定金種の紙幣を順次分類集積する結束対象紙幣集積ステップと、
この結束対象紙幣集積ステップに分類集積した前記結束対象の紙幣枚数を未確定の紙幣入金枚数として集計する結束対象紙幣集計ステップと、
前記結束対象紙幣集積ステップに分類集積した前記結束対象の紙幣枚数が所定枚数に到達した場合、前記所定枚数分の結束対象の紙幣を結束する紙幣結束ステップと、
前記所定枚数分の紙幣の結束タイミングに応じて、結束する紙幣の内、現在取引内の前記未確定の紙幣入金枚数を仮確定する仮確定ステップと、
取引完了操作を検出すると、現在取引内の前記仮確定の紙幣入金枚数及び前記未確定の紙幣入金枚数を現在取引の全紙幣入金枚数として確定すると共に、前記結束対象紙幣ステップで集積された紙幣集積枚数を前回端数として登録管理する確定ステップと
を含むことを特徴とする紙幣入金処理方法。
【請求項１５】
前記搬送ステップにて搬送した紙幣を前記特定金種以外の金種に応じて分類集積する分類紙幣集積ステップと、
この分類紙幣集積ステップに分類集積した前記金種毎の未確定の紙幣枚数として集計する分類紙幣集計ステップとを含み、
前記仮確定ステップは、
前記分類紙幣集積ステップに分類集積した所定枚数の紙幣の抜取を検出した場合、紙幣抜取タイミングで現在取引内の前記分類紙幣集積ステップの前記未確定の紙幣入金枚数を仮確定すると共に、
前記確定ステップは、
前記取引完了操作を検出すると、前記現在取引内の前記結束対象紙幣集積ステップの前記仮確定の紙幣入金枚数及び前記未確定の紙幣入金枚数を現在取引内の前記結束対象紙幣集積ステップの全紙幣入金枚数として確定すると共に、前記現在取引内の前記分類紙幣集積ステップの前記仮確定の紙幣入金枚数及び前記未確定の紙幣入金枚数を現在取引内の前記分類紙幣集積ステップの全紙幣入金枚数として確定すると共に、前記結束対象紙幣集積ステップの紙幣集積枚数を前記結束対象紙幣集積ステップの前回端数として登録管理すると共に、前記分類紙幣集積ステップの紙幣集積枚数を前記分類紙幣集積ステップの前回端数として登録管理することを特徴とする請求項１４記載の紙幣入金処理方法。
【手続補正２】
【補正対象書類名】明細書
【補正対象項目名】０１６５
【補正方法】変更
【補正の内容】
【０１６５】
図２に示す制御部１００は、回収紙幣をホッパ部１１に再投入後、障害復旧キー５３のキー操作を検出したか否かを判定する（ステップＳ４１）。
【手続補正３】
【補正対象書類名】明細書
【補正対象項目名】０２１３
【補正方法】変更
【補正の内容】
【０２１３】
図８は、取引キャンセル時に関わる結束対象紙幣集積部２１、結束側カウンタ部７０及び結束側表示部９０の状態遷移を端的に示す説明図である。
【国際調査報告】
2010067421.tif 000011
2010067421.tif 000012